(57)【要約】【課題】通信ネットワークを提供すること。【解決手段】一実施形態において、広域セルラネットワーク（ＷＡＣＮ）バンドおよびワイヤレスアクセスネットワークバンドにおいて動作可能であるユーザーイクイップメント（ＵＥ）デバイスによるネットワーク発見および選択のためのスキームが、提供される。特に、ＵＥデバイスは、セルラネットワークバンドを介してＷＡＣＮにアクセス可能であることに加えて、無線ＧＡＮを介してアクセス可能であるＷＡＣＮを選択するように動作可能でもある。【選択図】図６
2011205691.tif 000002
【特許請求の範囲】
【請求項１】
ユーザーイクイップメント（ＵＥ）デバイスによって実行されるネットワーク選択方法であって、該ＵＥデバイスは、第１技術を用いて第１バンドを介して通信し、第２技術を用いて第２バンドを介して通信するように構成されており、
該方法は、
該第１バンドを介してアクセス可能な広域セルラネットワーク（ＷＡＣＮ）のリストを取得するステップと、
該第２バンドを介して利用可能な広域セルラネットワーク（ＷＡＣＮ）が該第１バンドを介してアクセス可能なＷＡＣＮの該リスト中にあるか否かを決定するステップと、
該第２バンドを介して利用可能な該ＷＡＣＮがＷＡＣＮの該リスト中にあることを決定した場合に、該ＷＡＣＮを選択するステップと
を包含する、方法。
【請求項２】
前記ＷＡＣＮに関連付けられたジェネリックアクセスネットワークコントローラ（ＧＡＮＣ）に登録するステップをさらに含む、請求項１に記載の方法。
【請求項３】
ＷＡＣＮの前記リストは、ＰＬＭＮ（Ｐｕｂｌｉｃ  Ｌａｎｄ  Ｍｏｂｉｌｅ  Ｎｅｔｗｏｒｋ）のリストを含む、請求項１に記載の方法。
【請求項４】
前記ＷＡＣＮはＰＬＭＮである、請求項１に記載の方法。
【請求項５】
前記第１バンドは、ジェネリックアクセスネットワーク（ＧＡＮ）バンドである、請求項１に記載の方法。
【請求項６】
ＷＡＣＮの前記リストは、前記第１のバンドにおけるアクティブスキャニングを介して取得される、請求項１に記載の方法。
【請求項７】
前記ＷＡＣＮに関連付けられた前記ＧＡＮＣは、オペレータによって制御されるＧＡＮＣリストから選択される、請求項２に記載の方法。
【請求項８】
前記オペレータによって制御されるＧＡＮＣリストは、前記第１バンドにおけるアクティブスキャニングに応答して取得される、請求項７に記載の方法。
【請求項９】
前記ＷＡＣＮは、ＧＰＲＳ（Ｇｅｎｅｒａｌ  Ｐａｃｋｅｔ  Ｒａｄｉｏ  Ｓｅｒｖｉｃｅ）ネットワーク、ＥＤＧＥ（Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ  （ＧＳＭ）  Ｅｖｏｌｕｔｉｏｎ）ネットワーク、３ＧＰＰ（３ｒｄ  Ｇｅｎｅｒａｔｉｏｎ  Ｐａｒｔｎｅｒｓｈｉｐ  Ｐｒｏｊｅｃｔ）準拠ネットワーク、ＩＤＥＮ（Ｉｎｔｅｇｒａｔｅｄ  Ｄｉｇｉｔａｌ  Ｅｎｈａｎｃｅｄ  Ｎｅｔｗｏｒｋ）、ＣＤＭＡ（Ｃｏｄｅ  Ｄｉｖｉｓｉｏｎ  Ｍｕｌｔｉｐｌｅ  Ａｃｃｅｓｓネットワーク、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワーク、およびＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のうちの一つを含む、請求項１に記載の方法。
【請求項１０】
前記第１バンドは、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ  ＩＩ規格、Ｗｉ−Ｍａｘ規格、ＯｐｅｎＡｉｒ規格、およびＢｌｕｅｔｏｏｔｈ規格のうちの少なくとも一つから選択された無線ローカルエリアネットワーク（ＷＬＡＮ）に準拠する周波数バンドを備える、請求項１に記載の方法。
【請求項１１】
前記第２バンドは、ＷＡＣＮ周波数バンドを備える、請求項１に記載の方法。
【請求項１２】
ＷＡＣＮの前記リストは、オペレータによって制御されるリストである、請求項１に記載の方法。
【請求項１３】
ユーザーイクイップメント（ＵＥ）デバイスであって、該ＵＥデバイスは、第１技術を用いて第１バンドを介して通信し、第２技術を用いて第２バンドを介して通信するように構成されており、
該ＵＥデバイスは、
該第１バンドを介してアクセス可能な広域セルラネットワーク（ＷＡＣＮ）のリストを取得するように構成されたコンポーネントと、
該第２バンドを介して利用可能な広域セルラネットワーク（ＷＡＣＮ）が該第１バンドを介してアクセス可能なＷＡＣＮの該リスト中にあるか否かを決定するように構成されたコンポーネントと、
該第２バンドを介して利用可能な該ＷＡＣＮがＷＡＣＮの該リスト中にあることを決定した場合に、該ＷＡＣＮを選択するように構成されたコンポーネントと
を備える、ＵＥデバイス。
【請求項１４】
前記ＷＡＣＮに関連付けられたジェネリックアクセスネットワークコントローラ（ＧＡＮＣ）に前記ＵＥデバイスを登録するように構成されたコンポーネントをさらに含む、請求項１３に記載のＵＥデバイス。
【請求項１５】
ＷＡＣＮの前記リストは、ＰＬＭＮ（Ｐｕｂｌｉｃ  Ｌａｎｄ  Ｍｏｂｉｌｅ  Ｎｅｔｗｏｒｋ）のリストを含む、請求項１３に記載のＵＥデバイス。
【請求項１６】
前記ＷＡＣＮはＰＬＭＮである、請求項１３に記載のＵＥデバイス。
【請求項１７】
前記第１バンドは、ジェネリックアクセスネットワーク（ＧＡＮ）バンドである、請求項１３に記載のＵＥデバイス。
【請求項１８】
ＷＡＣＮの前記リストは、前記第１のバンドにおけるアクティブスキャニングを介して取得される、請求項１３に記載のＵＥデバイス。
【請求項１９】
前記ＷＡＣＮに関連付けられた前記ＧＡＮＣは、オペレータによって制御されるＧＡＮＣリストから選択される、請求項１４に記載のＵＥデバイス。
【請求項２０】
前記オペレータによって制御されるＧＡＮＣリストは、前記第１バンドにおけるアクティブスキャニングに応答して取得される、請求項１４に記載のＵＥデバイス。
【請求項２１】
前記ＷＡＣＮは、ＧＰＲＳ（Ｇｅｎｅｒａｌ  Ｐａｃｋｅｔ  Ｒａｄｉｏ  Ｓｅｒｖｉｃｅ）ネットワーク、ＥＤＧＥ（Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ  （ＧＳＭ）  Ｅｖｏｌｕｔｉｏｎ）ネットワーク、３ＧＰＰ（３ｒｄ  Ｇｅｎｅｒａｔｉｏｎ  Ｐａｒｔｎｅｒｓｈｉｐ  Ｐｒｏｊｅｃｔ）準拠ネットワーク、ＩＤＥＮ（Ｉｎｔｅｇｒａｔｅｄ  Ｄｉｇｉｔａｌ  Ｅｎｈａｎｃｅｄ  Ｎｅｔｗｏｒｋ）、ＣＤＭＡ（Ｃｏｄｅ  Ｄｉｖｉｓｉｏｎ  Ｍｕｌｔｉｐｌｅ  Ａｃｃｅｓｓ）ネットワーク、ＵＭＴＳ（Ｕｎｉｖｅｒｓａｌ  Ｍｏｂｉｌｅ  Ｔｅｌｅｃｏｍｕｕｎｉｃａｔｉｏｎｓ  Ｓｙｓｔｅｍ）ネットワーク、およびＵＴＲＡＮ（Ｕｎｉｖｅｒｓａｌ  Ｔｅｒｒｅｓｔｒｉａｌ
Ｒａｄｉｏ  Ａｃｃｅｓｓ  Ｎｅｔｗｏｒｋ）のうちの一つを含む、請求項１３に記載のＵＥデバイス。
【請求項２２】
前記第１バンドは、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ  ＩＩ規格、Ｗｉ−Ｍａｘ規格、ＯｐｅｎＡｉｒ規格、およびＢｌｕｅｔｏｏｔｈ規格のうちの少なくとも一つから選択された無線ローカルエリアネットワーク（ＷＬＡＮ）規格に準拠する周波数バンドを備える、請求項１３に記載のＵＥデバイス。
【請求項２３】
前記第２バンドは、ＷＡＣＮ周波数バンドを備える、請求項１３に記載のＵＥデバイス。
【請求項２４】
ＷＡＣＮの前記リストは、オペレータによって制御されるリストである、請求項１３に記載のＵＥデバイス。
【請求項２５】
ネットワーク発見および選択ロジックを含む永続型のコンピュータ読み取り可能な格納媒体であって、該媒体は、ユーザーイクイップメント（ＵＥ）デバイスによる使用のためのものであり、該ＵＥデバイスは、第１技術を用いて第１バンドを介して通信し、第２技術を用いて第２バンドを介して通信するように構成されており、
該媒体は、
該第１バンドを介してアクセス可能な広域セルラネットワーク（ＷＡＣＮ）のリストを取得するように構成されたロジックブロックと、
該第２バンドを介して利用可能な広域セルラネットワーク（ＷＡＣＮ）が、該第１バンドを介してアクセス可能なＷＡＣＮの該リスト中にあるか否かを決定するように構成されたロジックブロックと、
該第２バンドを介して利用可能な該ＷＡＣＮがＷＡＣＮの該リスト中にあることを決定したことに応答して、該ＷＡＣＮを選択するように構成されたロジックブロックと
を備える、永続型のコンピュータ読み取り可能な格納媒体。
【請求項２６】
前記ＷＡＣＮに関連付けられたジェネリックアクセスネットワークコントローラ（ＧＡＮＣ）に登録するステップをさらに含む、請求項２５に記載の永続型のコンピュータ読み取り可能な格納媒体。
【請求項２７】
ＷＡＣＮの前記リストは、ＰＬＭＮ（Ｐｕｂｌｉｃ  Ｌａｎｄ  Ｍｏｂｉｌｅ  Ｎｅｔｗｏｒｋ）のリストを含む、請求項２５に記載の永続型のコンピュータ読み取り可能な格納媒体。
【請求項２８】
前記ＷＡＣＮはＰＬＭＮである、請求項２５に記載の永続型のコンピュータ読み取り可能な格納媒体。
【請求項２９】
前記第１バンドは、ジェネリックアクセスネットワーク（ＧＡＮ）バンドである、請求項２５に記載の永続型のコンピュータ読み取り可能な格納媒体。
【請求項３０】
ＷＡＣＮの前記リストは、前記第１のバンドにおけるアクティブスキャニングを介して取得される、請求項２５に記載の永続型のコンピュータ読み取り可能な格納媒体。
【請求項３１】
前記ＷＡＣＮに関連付けられた前記ＧＡＮＣは、オペレータによって制御されるＧＡＮＣリストから選択される、請求項２６に記載の永続型のコンピュータ読み取り可能な格納媒体。
【発明の詳細な説明】
【技術分野】
【０００１】
（開示の分野）
本特許開示は、一般に、通信ネットワークに関する。より詳細には、また、いかなる制限する目的ではなく、本特許出願は、ユーザーイクイップメント（ＵＥ）デバイスによるネットワーク発見および選択のためのスキームに関する。該ＵＥデバイスは、広域セルラネットワーク（ＷＡＣＮ）スペースに相互接続され得るジェネリックアクセスネットワーク（ＧＡＮ）スペースにおいて動作可能である。
【背景技術】
【０００２】
ワイヤレスアクセスネットワークは、種々の電気通信ネットワーク環境の重要な要素となってきた。企業ネットワークに関して、該ネットワークは、ポータブルコンピュータおよびモバイルハンドヘルドデバイスを持ち運ぶワーカーおよび同様に装備されたゲストまたは臨時のワーカーのためのネットワーク資源への便利なアクセスを提供する。該ネットワークはまた、設備が頻繁に移動または変更される環境における物理的なイーサネット（登録商標）ジャックの再設置に対するコストパフォーマンスの高い代案を提供する。さらに、多様な通信／計算デバイスと共に動作可能なワイヤレスアクセスポイントは、たとえば、ホテル、空港、レストラン、および喫茶店などの公共の環境において、ユビキタスとなりつつある。高速インターネットアクセスの増加と共に、ユーザーの家におけるアクセスポイントの使用もまた、構想され、他アプリケ−ションのために開始された。
【０００３】
付随して、ユーザーイクイップメント（ＵＥ）のアリーナにおけるいくつかの発展もまた、ワイヤレスアクセスネットワークによって提供される能力を利用するために、なされている。特に興味深いのは、無線ローカルエリアネットワーク（ＷＬＡＮ）などのワイヤレスアクセスネットワークとインタフェースする能力と携帯電話の統合である。そのような「デュアルモード」のデバイスが利用可能となるに伴い、セルラネットワークとＷＬＡＮとの間のある相互に作用するメカニズムは、一タイプのネットワークから他タイプのネットワークへのサービスの効率的なハンドオーバーを容易にするために、必要であろうことは理解されるべきである。
【発明の概要】
【課題を解決するための手段】
【０００４】
例えば、本発明は以下の項目を提供する。
（項目１）
ネットワーク選択方法であって、
第１バンドにおいてユーザーイクイップメント（ＵＥ）デバイスによるスキャニングを介して発見される利用可能な広域セルラネットワークの第１リストを生成することと、
第２バンドにおいて該ＵＥデバイスによるスキャニングを介して発見される利用可能な広域セルラネットワークの第２リストを生成することと、
両リストに共通の広域セルラネットワークのセットを識別するために、利用可能な広域セルラネットワークの該第１リストおよび該第２リストを相互に関連づけることと、
該第１リストおよび該第２リストに共通の該広域セルラネットワークのセットから特定の広域セルラネットワークを選択することと
を包含する、方法。
（項目２）
前記特定の広域セルラネットワークは、ＧＰＲＳ（Ｇｅｒｅｒａｌ  Ｐａｃｋｅｔ  Ｒａｄｉｏ  Ｓｅｒｖｉｃｅ）ネットワーク、ＥＤＧＥ（Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎ  （ＧＳＭ）  Ｅｖｏｌｕｔｉｏｎ）ネットワーク、３ＧＰＰ（３ｒｄ  Ｇｅｎｅｒａｔｉｏｎ  Ｐａｒｔｎｅｒｓｈｉｐ  Ｐｒｏｊｅｃｔ）準拠ネットワーク、ＩＤＥＮ（Ｉｎｔｅｇｒａｔｅｄ  Ｄｉｇｉｔａｌ  Ｅｎｈａｎｃｅｄ  Ｎｅｔｗｏｒｋ）、ＣＤＭＡ（Ｃｏｄｅ  Ｄｉｖｉｓｉｏｎ  Ｍｕｌｔｉｐｌｅ  Ａｃｃｅｓｓ（ＣＤＭＡ）ネットワーク、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワーク、およびＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のうちの一つを含む、項目１に記載のネットワーク選択方法。
（項目３）
前記第１バンドは、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ  ＩＩ規格、Ｗｉ−Ｍａｘ規格、ＯｐｅｎＡｉｒ規格、およびＢｌｕｅｔｏｏｔｈ規格のうちの少なくとも一つから選択された無線ＬＡＮ（ＷＬＡＮ）に準拠する周波数バンドを備える、項目１に記載のネットワーク選択方法。
（項目４）
前記第２バンドは、広域セルラネットワーク周波数バンドを備える、項目３に記載のネットワーク選択方法。
（項目５）
前記第１バンドにおける前記ＵＥデバイスによるスキャニングは、前記第２バンドにおけるスキャニングの前に実行される、項目１に記載のネットワーク選択方法。
（項目６）
前記第２バンドにおける前記ＵＥデバイスによるスキャニングは、前記第１バンドにおけるスキャニングの前に実行される、項目１に記載のネットワーク選択方法。
（項目７）
前記第１バンドにおける前記ＵＥデバイスによるスキャニングは、前記第２バンドにおける前記ＵＥデバイスによるスキャニングと実質的に並行して実行される、項目１に記載のネットワーク選択方法。
（項目８）
前記第１バンドにおける前記ＵＥデバイスによる前記スキャニングは、前記ＵＥデバイスを備えつけられた少なくとも一つのスキャニングフィルタリストに基づいて、実行される、項目１に記載のネットワーク選択方法。
（項目９）
前記少なくとも一つのスキャニングフィルタリストは、ジェネリックアクセスネットワーク（ＧＡＮ）にアクセスするためにユーザーによって制御されるサービスセットＩＤ（ＳＳＩＤ）のリストを含む、項目８に記載のネットワーク選択方法。
（項目１０）
前記少なくとも一つのスキャニングフィルタリストは、ジェネリックアクセスネットワーク（ＧＡＮ）にアクセスするためにオペレータによって制御されるサービスセットＩＤ
（ＳＳＩＤ）のリストを含む、項目８に記載のネットワーク選択方法。
（項目１１）
前記少なくとも一つのスキャニングフィルタリストは、ジェネリックアクセスネットワーク（ＧＡＮ）にアクセスすることが禁止されるサービスセットＩＤ（ＳＳＩＤ）のリストを含む、項目８に記載のネットワーク選択方法。
（項目１２）
前記特定の広域セルラネットワークの選択は、前記ＵＥデバイスが備えつけられた少なくとも一つの選択フィルタリストに基づいて、実行される、項目１に記載のネットワーク選択方法。
（項目１３）
前記少なくとも一つの選択フィルタリストは、ジェネリックアクセスネットワークＧＡＮを介してアクセスするためにユーザーによって制御されるＰＬＭＮ（Ｐｕｂｌｉｃ  Ｌａｎｄ  Ｍｏｂｉｌｅ  Ｎｅｔｗｏｒｋ）のリストを含む、項目１２に記載のネットワーク選択方法。
（項目１４）
前記少なくとも一つの選択フィルタリストは、ジェネリックアクセスネットワーク（ＧＡＮ）を介してアクセスするためにオペレータによって制御されるＰＬＭＮ（Ｐｕｂｌｉｃ  Ｌａｎｄ  Ｍｏｂｉｌｅ  Ｎｅｔｗｏｒｋ）のリストを含む、項目１２に記載のネットワーク選択方法。
（項目１５）
前記少なくとも一つの選択フィルタリストは、ジェネリックアクセスネットワーク（ＧＡＮ）を介してアクセスすることが禁止されるＰＬＭＮ（Ｐｕｂｌｉｃ  Ｌａｎｄ  Ｍｏｂｉｌｅ  Ｎｅｔｗｏｒｋ）のリストを含む、項目１２に記載のネットワーク選択方法。
（項目１６）
前記少なくとも一つの選択フィルタリストは、ＰＬＭＮ（Ｐｕｂｌｉｃ  Ｌａｎｄ  Ｍｏｂｉｌｅ  Ｎｅｔｗｏｒｋ）のリストを含む、各ＰＬＭＮはパケットデータサービス機能に関する表示で識別される、項目１２に記載のネットワーク選択方法。
（項目１７）
前記少なくとも一つの選択フィルタリストは、ＰＬＭＮ（Ｐｕｂｌｉｃ  Ｌａｎｄ  Ｍｏｂｉｌｅ  Ｎｅｔｗｏｒｋ）のリストを含む、各ＰＬＭＮはＵＭＡ（Ｕｎｌｉｃｅｎｃｅｄ  Ｍｏｂｉｌｅ  Ａｌｌｉａｎｃｅ）サービス機能に関する表示で識別される、項目１２に記載のネットワーク選択方法。
（項目１８）
ネットワーク選択システムであって、
第１バンドにおいてユーザーイクイップメント（ＵＥ）デバイスによるスキャニングを介して発見される利用可能な広域セルラネットワークの第１リストを生成するための手段と、
第２バンドにおいて該ＵＥデバイスによるスキャニングを介して発見される利用可能な広域セルラネットワークの第２リストを生成するための手段と、
両リストに共通の広域セルラネットワークのセットを識別するために、利用可能な広域セルラネットワークの該第１リストおよび該第２リストを相互に関連づけるための手段と、
該第１リストおよび該第２リストに共通の該広域セルラネットワークのセットから特定の広域セルラネットワークを選択するための手段と
を備える、システム。
（項目１９）
前記特定の広域セルラネットワークは、ＧＰＲＳ（Ｇｅｎｅｒａｌ  Ｐａｃｋｅｔ  Ｒａｄｉｏ  Ｓｅｒｖｉｃｅ）ネットワーク、ＥＤＧＥ（Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ  （ＧＳＭ）  Ｅｖｏｌｕｔｉｏｎ）ネットワーク、３ＧＰＰ（３ｒｄ
Ｇｅｎｅｒａｔｉｏｎ  Ｐａｒｔｎｅｒ  Ｐｒｏｊｅｃｔ）準拠ネットワーク、ＩＤＥＮ（Ｉｎｔｅｇｒａｔｅｄ  Ｄｉｇｉｔａｌ  Ｅｎｈａｎｃｅｄ  Ｎｅｔｗｏｒｋ）、ＣＤＭＡ（Ｃｏｄｅ  Ｄｉｖｉｓｉｏｎ  Ｍｕｌｔｉｐｌｅ  Ａｃｃｅｓｓ）ネットワーク、ＵＭＴＳ（Ｕｎｉｖｅｒｓａｌ  Ｍｏｂｉｌｅ  Ｔｅｌｅｃｏｍｕｕｎｉｃａｔｉｏｎｓ  Ｓｙｓｔｅｍ）ネットワーク、およびＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のうちの一つを含む、項目１８に記載のネットワーク選択システム。
（項目２０）
前記第１バンドは、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ  ＩＩ規格、Ｗｉ−Ｍａｘ規格、ＯｐｅｎＡｉｒ規格、およびＢｌｕｅｔｏｏｔｈ規格のうちの少なくとも一つから選択された無線ローカルエリアネットワーク（ＷＬＡＮ）規格に準拠する周波数バンドを備える、項目１８に記載のネットワーク選択システム。
（項目２１）
前記第２バンドは、広域セルラネットワーク周波数バンドを備える、項目２０に記載のネットワーク選択システム。
（項目２２）
前記利用可能な広域セルラネットワークの第１リストを生成するための手段は、前記第２バンドにおけるスキャニングより前における、前記第１バンドにおける前記ＵＥデバイスによるスキャニングのための手段を含む、項目１８に記載のネットワーク選択システム。
（項目２３）
前記利用可能な広域セルラネットワークの第２リストを生成するための手段は、前記第１バンドにおけるスキャニングより前における、前記第２バンドにおける前記ＵＥデバイスによるスキャニングのための手段を含む、項目１８に記載のネットワーク選択システム。
（項目２４）
前記第１バンドにおける前記ＵＥデバイスによるスキャニングは、前記第２バンドにおける前記ＵＥデバイスによるスキャニングと実質的に並行して実行される、項目１８に記載のネットワーク選択システム。
（項目２５）
前記利用可能な広域セルラネットワークの第１リストを生成するための手段は、前記ＵＥデバイスが備えつけられた少なくとも一つのスキャニングフィルタリストに基づく前記第１バンドにおける前記ＵＥデバイスによるスキャニングのための手段を含む、項目１８に記載のネットワーク選択システム。
（項目２６）
前記少なくとも一つのスキャニングフィルタリストは、ジェネリックアクセスネットワーク（ＧＡＮ）にアクセスするためにユーザーによって制御されるサービスセットＩＤ（ＳＳＩＤ）のリストを含む、項目２５に記載のネットワーク選択システム。
（項目２７）
前記少なくとも一つのスキャニングフィルタリストは、ジェネリックアクセスネットワーク（ＧＡＮ）にアクセスするためにオペレータによって制御されるサービスセットＩＤ（ＳＳＩＤ）のリストを含む、項目２５に記載のネットワーク選択システム。
（項目２８）
前記少なくとも一つのスキャニングフィルタリストは、ジェネリックアクセスネットワーク（ＧＡＮ）にアクセスすることが禁止されるサービスセットＩＤ（ＳＳＩＤ）のリストを含む、項目２５に記載のネットワーク選択システム。
（項目２９）
前記特定の広域セルラネットワークの選択のための手段は、ＵＥデバイスが備えつけられた少なくとも一つの選択フィルタリストに基づく選択を実行するように動作可能である、項目１８に記載のネットワーク選択システム。
（項目３０）
前記少なくとも一つの選択フィルタリストは、ジェネリックアクセスネットワークＧＡＮを介してアクセスするためにユーザーによって制御されるＰＬＭＮ（Ｐｕｂｌｉｃ  Ｌａｎｄ  Ｍｏｂｉｌｅ  Ｎｅｔｗｏｒｋ）のリストを含む、項目２９に記載のネットワーク選択システム。
（項目３１）
前記少なくとも一つの選択フィルタリストは、ジェネリックアクセスネットワークＧＡＮを介してアクセスするためにオペレータによって制御されるＰＬＭＮ（Ｐｕｂｌｉｃ  Ｌａｎｄ  Ｍｏｂｉｌｅ  Ｎｅｔｗｏｒｋ）のリストを含む、項目２９に記載のネットワーク選択システム。
（項目３２）
前記少なくとも一つの選択フィルタリストは、ジェネリックアクセスネットワークＧＡＮを介してアクセスすることが禁止されるＰＬＭＮ（Ｐｕｂｌｉｃ  Ｌａｎｄ  Ｍｏｂｉｌｅ  Ｎｅｔｗｏｒｋ）のリストを含む、項目２９に記載のネットワーク選択システム。
（項目３３）
前記少なくとも一つの選択フィルタリストは、ＰＬＭＮ（Ｐｕｂｌｉｃ  Ｌａｎｄ  Ｍｏｂｉｌｅ  Ｎｅｔｗｏｒｋ）のリストを含む、各ＰＬＭＮはパケットデータサービス機能に関する表示で識別される、項目２９に記載のネットワーク選択システム。
（項目３４）
前記少なくとも一つの選択フィルタリストは、ＰＬＭＮ（Ｐｕｂｌｉｃ  Ｌａｎｄ  Ｍｏｂｉｌｅ  Ｎｅｔｗｏｒｋ）のリストを含む、各ＰＬＭＮは、ＵＭＡ（Ｕｎｌｉｃｅｎｃｅｄ  Ｍｏｂｉｌｅ  Ａｌｌｉａｎｃｅ）サービス機能に関する表示で識別される、項目２９に記載のネットワーク選択システム。
（項目３５）
ユーザーイクイップメント（ＵＥ）デバイスであって、
第１バンドにおいて通信するためのトランシーバモジュールおよび第２バンドにおいて通信するためのトランシーバモジュールを含む通信サブシステムと、
該第１バンドにおけるスキャニングを介して発見される利用可能な広域セルラネットワークの第１リストを生成するように動作可能なロジックモジュールと、
該バンドにおけるスキャニングを介して発見される利用可能な広域セルラネットワークの第２リストを生成するように動作可能なロジックモジュールと、
両リストに共通の広域セルラネットワークのセットを識別するために、利用可能な広域セルラネットワークの該第１リストおよび該第２リストを相互に関連づけるように動作可能なロジックモジュールと、
該第１リストおよび該第２リストに共通の該広域セルラネットワークのセットから特定の広域セルラネットワークを選択するように動作可能なロジックモジュールと
を備える、ＵＥデバイス。
（項目３６）
前記利用可能な広域セルラネットワークの第１リストを生成するように動作可能なロジックモジュールは、前記ＵＥデバイスが備えつけられた少なくとも一つのスキャニングフィルタリストに基づいて前記第１バンドにおける前記スキャニングを制御するためのロジックを含む、項目３５に記載のＵＥデバイス。
（項目３７）
前記少なくとも一つのスキャニングフィルタリストは、ジェネリックアクセスネットワーク（ＧＡＮ）にアクセスするためにユーザーによって制御されるサービスセットＩＤ（ＳＳＩＤ）のリストを含む、項目３６に記載のＵＥデバイス。
（項目３８）
前記少なくとも一つのスキャニングフィルタリストは、ジェネリックアクセスネットワーク（ＧＡＮ）にアクセスするためにオペレータによって制御されるサービスセットＩＤ（ＳＳＩＤ）のリストを含む、項目３６に記載のＵＥデバイス。
（項目３９）
前記少なくとも一つのスキャニングフィルタリストは、ジェネリックアクセスネットワーク（ＧＡＮ）にアクセスすることが禁止されるサービスセットＩＤ（ＳＳＩＤ）のリストを含む、項目３６に記載のＵＥデバイス。
（項目４０）
前記特定の広域セルラネットワークを選択するように動作可能なロジックモジュールは、前記ＵＥデバイスが備えつけられた少なくとも一つの選択フィルタリストに基づく選択を実行するように動作可能なロジックを含む、項目３５に記載のＵＥデバイス。
（項目４１）
前記少なくとも一つの選択フィルタリストは、ＧＡＮを介してアクセスするためにユーザーによって制御されるＰＬＭＮ（Ｐｕｂｌｉｃ  Ｌａｎｄ  Ｍｏｂｉｌｅ  Ｎｅｔｗｏｒｋ）のリストを含む、項目４０に記載のＵＥデバイス。
（項目４２）
前記少なくとも一つの選択フィルタリストは、ジェネリックアクセスネットワーク（ＧＡＮ）を介してアクセスするためにオペレータによって制御されるＰＬＭＮ（Ｐｕｂｌｉｃ  Ｌａｎｄ  Ｍｏｂｉｌｅ  Ｎｅｔｗｏｒｋ）のリストを含む、項目４０に記載のＵＥデバイス。
（項目４３）
前記少なくとも一つの選択フィルタリストは、ジェネリックアクセスネットワーク（ＧＡＮ）を介してアクセスすることが禁止されるＰＬＭＮ（Ｐｕｂｌｉｃ  Ｌａｎｄ  Ｍｏｂｉｌｅ  Ｎｅｔｗｏｒｋ）のリストを含む、項目４０に記載のＵＥデバイス。
（項目４４）
前記少なくとも一つの選択フィルタリストは、ＰＬＭＮ（Ｐｕｂｌｉｃ  Ｌａｎｄ  Ｍｏｂｉｌｅ  Ｎｅｔｗｏｒｋ）のリストを含む、各ＰＬＭＮはパケットデータサービス機能に関する表示で識別される、項目４０に記載のＵＥデバイス。
（項目４５）
前記少なくとも一つの選択フィルタリストは、ＰＬＭＮ（Ｐｕｂｌｉｃ  Ｌａｎｄ  Ｍｏｂｉｌｅ  Ｎｅｔｗｏｒｋ）のリストを含む、各ＰＬＭＮはＵＭＡ（Ｕｎｌｉｃｅｎｃｅｄ  Ｍｏｂｉｌｅ  Ａｌｌｉａｎｃｅ）サービス機能に関する表示で識別される、項目４０に記載のＵＥデバイス。
【図面の簡単な説明】
【０００５】
本特許出願の実施形態のより完全な理解は、以下に述べる添付の図面と共に利用されるとき次の詳細な説明を参照することによって、なされ得る。
【０００６】
【図１】図１は、本特許開示の実施形態が実行され得る一般化されたネットワーク環境を表す。
【図２】図２は、ユーザーイクイップメント（ＵＥ）デバイスが本特許開示の教示に従ってネットワーク発見および選択のために動作可能に配置されたネットワーク環境の例示的実施形態を表す。
【図３】図３は、ＰＬＭＮ（Ｐｕｂｌｉｃ  Ｌａｎｄ  Ｍｏｂｉｌｅ  Ｎｅｔｗｏｒｋ）などの広域セルラネットワーク（ＷＡＣＮ）が、ＧＡＮ（ｇｅｎｅｒｉｃ  ａｃｃｅｓｓ  ｎｅｔｗｏｒｋ）および関連するコントローラ（ＧＡＮＣ）を介してアクセス可能なネットワークシステムの機能ブロック図を表す。
【図４Ａ】図４Ａは、図３に示されたネットワークシステムと共に動作可能な回路交換（ＣＳ）プロトコルスタックの例示的実施形態を表す。
【図４Ｂ】図４Ｂは、図３に示されたネットワークシステムと共に動作可能なパケット交換（ＰＳ）プロトコルスタックの例示的実施形態を表す。
【図５Ａ】図５Ａは、各ＰＬＭＮが対応するＧＡＮＣによってサーブされる一実施形態に従って、アクセスネットワーク（ＧＡＮまたは無線ＬＡＮ）が複数のＰＬＭＮに接続するように動作可能であるネットワーク構成を表す。
【図５Ｂ】図５Ｂは、単一のＧＡＮＣにある複数の仮想ＧＡＮＣパーティションが、対応するＰＬＭＮにサーブするように動作可能な一実施形態に従って、アクセスネットワーク（ＧＡＮまたは無線ＬＡＮ）が複数のＰＬＭＮに接続するように動作可能であるネットワーク構成を表す。
【図６】図６は、一実施形態に従った、ネットワーク発見および選択方法のフローチャートである。
【図７】図７は、別の実施形態に従った、ネットワーク発見および選択方法のフローチャートである。
【図８】図８、さらに別の実施形態に従った、ネットワーク発見および選択方法のフローチャートである。
【図９Ａ】図９Ａは、一実施形態に従った、ネットワーク発見／選択を改善する際に使用され得る複数のＰＬＭＮベースのリストを表す。
【図９Ｂ】図９Ｂは、一実施形態に従った、ネットワーク発見／選択を改善する際に使用され得る複数のサービスセットＩＤ（ＳＳＩＤ）ベースのリストを表す。
【図１０】図１０は、複数のモードにおいて発見されたＰＬＭＮに関連づけた後に識別された一つ以上のＰＬＭＮを有するデータベース構造を表す。
【図１１】図１１は、一実施形態に従った、ＧＡＮＣ選択方法のフローチャートである。
【図１２】図１２は、本特許開示の教示に従って提示された、ネットワーク発見／選択手順を実行するように動作可能なＵＥデバイスの実施形態のブロック図を表す。
【発明を実施するための形態】
【０００７】
本特許開示は、広域セルラネットワーク（ＷＡＣＮ）バンドおよびワイヤレスアクセスネットワークバンドにおいて動作可能なユーザーイクイップメント（ＵＥ）デバイスによるネットワーク発見および選択のためのスキームに広く関する。特に、ＵＥデバイスは、セルラネットワークバンドを介してＷＡＣＮにアクセス可能であることに加え、ワイヤレスジェネリックアクセスネットワーク（ＧＡＮ）を介してアクセス可能な同じＷＡＣＮを選択するように動作可能である。
【０００８】
一局面において、第１バンドにおいてＵＥデバイスによるスキャニングを介して発見される利用可能な広域セルラネットワークの第１リストを生成すること；第２バンドにおいてＵＥデバイスによるスキャニングを介して発見される利用可能な広域セルラネットワークの第２リストを生成すること；両リストに共通の広域セルラネットワークのセットを識別するために、利用可能な広域セルラネットワークの第１リストおよび第２リストを関連づけること；および第１リストおよび第２リストに共通の広域セルラネットワークのセットから特定の広域セルラネットワークを選択すること；を含むネットワーク選択方法が開示される。
【０００９】
別の局面において、第１バンドにおいてＵＥデバイスによるスキャニングを介して発見される利用可能な広域セルラネットワークの第１リストを生成するための手段、第２バンドにおいてＵＥデバイスによるスキャニングを介して発見される利用可能な広域セルラネットワークの第２リストを生成するための手段；両リストに共通の広域セルラネットワークのセットを識別するために、利用可能な広域セルラネットワークの第１リストおよび第２リストを関連づけるための手段：および第１リストおよび第２リストに共通の広域セルラネットワークのセットから特定の広域セルラネットワークを選択するための手段；を備えるネットワーク選択システムが開示される。
【００１０】
さらに別の局面において、第１バンドにおいて通信するためのトランシーバモジュールおよび第２バンドにおいて通信するためのトランシーバモジュールを含む通信サブシステム；第１バンドにおけるスキャニングを介して発見される利用可能な広域セルラネットワークの第１リストを生成するように動作可能なロジックモジュール；バンドにおけるスキャニングを介して発見される利用可能な広域セルラネットワークの第２リストを生成するように動作可能なロジックモジュール；両リストに共通の広域セルラネットワークのセットを識別するために、利用可能な広域セルラネットワークの第１リストおよび第２リストを関連づけるように動作可能なロジックモジュール；および第１リストおよび第２リストに共通の広域セルラネットワークのセットから特定の広域セルラネットワークを選択するように動作可能なロジックモジュール；を備えるＵＥデバイスが開示される。
【００１１】
以下、本特許開示のシステムおよび方法が、実施形態が最良に作られ使用され得る方法の種々の例を参照して記述される。同じ参照番号は、同じまたは対応する部品を示すために、記述およびいくつかの図面全体にわたり使用され、図面において、種々の要素は必ずしも一定の縮尺で描かれていない。ここで図面、より特定的には図１を参照すると、そこで表されているのは、本特許開示の実施形態が実行され得る例示的な一般化されたネットワーク環境１００である。ユーザーイクイップメント（ＵＥ）デバイス１０２は、任意のポータブルコンピュータ（例えば、ラップトップ、パームトップ、またはハンドヘルド計算デバイス）か、モバイル通信デバイス（例えば、携帯電話、または、メッセージの送受信、ウェブブラウジングなどが可能な、データ使用可能なハンドヘルドデバイス）か、任意の強化された携帯情報端末（ＰＤＡ）デバイスか、ｅメール、ビデオメール、インターネットアクセス、企業データアクセス、メッセージング、カレンダリング、およびスケジューリング情報管理などが可能で、好適には一つ以上の動作モードで動作可能な統合された情報機器かを備え得る。例えば、ＵＥデバイス１０２は、携帯電話通信バンド周波数および無線ＬＡＮ（ＷＬＡＮ）バンド、または、場合によりＷＬＡＮバンドのみにおいて動作し得る。さらに、ＵＥデバイスがワイヤレスで動作し得る他のバンドは、Ｗｉ−Ｍａｘバンドまたは一つ以上のサテライトバンドを含み得る。さらに、ネットワーク環境１００は、ＵＥデバイス１０２にサービスを提供することが可能な通信スペースの３つの広いカテゴリから成る。広域セルラネットワーク（ＷＡＣＮ）スペース１０４において、パケット交換データサービスを含み得るかまたは含まなくあり得る携帯電話通信サービスを提供するように動作可能な任意の数のＰＬＭＮ（Ｐｕｂｌｉｃ  Ｌａｎｄ  Ｍｏｂｉｌｅ  Ｎｅｔｗｏｒｋ）が存在し得る。有効範囲エリアおよびユーザーがローミングしているかどうかに依存し、ＷＡＣＮスペース１０４は、複数のホームネットワーク（すなわち、ホームＰＬＭＮまたはＨＰＬＭＮ）１１０、訪問先ネットワーク（すなわち、ＶＰＬＭＮ）１１２を含み得、それらの各々は、ＨＬＲ（Ｈｏｍｅ  Ｌｏｃａｔｉｏｎ  Ｒｅｇｉｓｔｅｒ）ノード１１５、ＭＳＣ（Ｍｏｂｉｌｅ  Ｓｗｉｔｃｈｉｎｇ  Ｃｅｎｔｅｒ）ノード１１６などの適切なインフラストラクチャを有する。ＷＡＣＮスペース１０４は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ベースのキャリアネットワークのセルラインフラストラクチャを使用するモバイルデバイスのためのパケットラジオアクセスを提供するＧＰＲＳ（Ｇｅｎｅｒａｌ  Ｐａｃｋｅｔ  Ｒａｄｉｏ  Ｓｅｒｖｉｃｅ）ネットワークもまた含み得るので、ＳＧＳＮ（Ｓｅｒｖｉｎｇ  ＧＰＲＳ  Ｓｕｐｐｏｒｔ  Ｎｏｄｅ）１１４が本明細書に例示される。さらに、一般化の目的のために、ＷＡＣＮスペース１０４のＰＬＭＮは、ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）ネットワークと、ＩＤＥＮ（Ｉｎｔｅｇｒａｔｅｄ  Ｄｉｇｉｔａｌ  Ｅｎｈａｎｃｅｄ  Ｎｅｔｗｏｒｋ）と、符号分割多重接続（Ｃ���ＭＡ）ネットワークと、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）ネットワークと、任意の３ＧＰＰ（３ｒｄ  Ｇｅｎｅｒａｔｉｏｎ  Ｐａｒｔｎｅｒ  Ｐｒｏｊｅｃｔ）準拠ネットワーク（例えば、３ＧＰＰまたは３ＧＰＰ２）、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とのうちの少なくとも１つから選択されたネットワークを含み得る。これらはすべて周知の周波数バンド幅およびプロトロルで動作する。
【００１２】
さらに、ＵＥデバイス１０２は、ＷＡＣＮスペース１０４に接続されたアクセスネットワーク（ＡＮ）スペース１０６からのサービスを得るように動作可能である。一インプリメンテーションにおいて、ＡＮスペース１０６は、一つ以上のジェネリックアクセスネットワーク（ＧＡＮ）１１８およびＷＬＡＮ構成１２０の任意のタイプを含む。下にさらに詳細に記述されているが、ＧＡＮ１１８は、広帯域インターネットプロトコル（ＩＰ）ベースのネットワークを使用してＵＥデバイス１０２とＰＬＭＮコアネットワークとの間にアクセスサービスを提供するように動作可能である。ＷＬＡＮ構成１２０は、アクセスポイント（ＡＰ）すなわち「ホットスポット」を介するＵＥデバイス１０２への近距離ワイヤレス接続可能性を提供し、種々の規格、例えば、ＩＥＥＥ８０２．１１ｂ、ＩＥＥＥ８０２．１１ａ、ＩＥＥＥ８０２．１１ｇ、ＨｉｐｅｒＬａｎ規格、ＨｉｐｅｒＬａｎＩＩ規格、Ｗｉ−Ｍａｘ規格、ＯｐｅｎＡｉｒ規格、およびＢｌｕｅｔｏｏｔｈ規格、を使用してインプリメントされ得る。
【００１３】
一実施形態において、ＷＡＣＮスペースとＡＮスペースとの間のインタフェースは、ある規格に従って、実行され得る。例えば、ＧＡＮ１１８は、３ＧＰＰ  ＴＲ  ４３．９０１および３ＧＰＰ  ＴＳ  ４３．ｘｘｘの文書および関連する文書において提示される手順を使用してＰＬＭＮコアとインタフェースされ得る。同様に、ＷＬＡＮ１２０は、３ＧＰＰ  ＴＳ  ２２．２３４、３ＧＰＰ  ＴＳ  ２３．２３４および３ＧＰＰ  ＴＳ  ２４．２３４の文書および関連する文書において提示される手順を使用してＰＬＭＮコアとインタフェースされ得、従って、インタワーキング（Ｉｎｔｅｒｗｏｒｋｉｎｇ）ＷＬＡＮ（Ｉ−ＷＬＡＮ）構成といい得る。
【００１４】
さらに、ＵＥデバイス１０２への近距離ワイヤレス接続可能性を提供するＷＡＣＮスペース１０４にインタフェースしないアクセスネットワーク（ＡＮ）スペース１０８が存在し得る。例えば、ＡＮスペース１０８は、非３ＧＰＰサービスを提供するＷＬＡＮ１２２を含み得る。該非３ＧＰＰサービスは、「公共」アクセスポイント（ホテル、喫茶店、書店、アパート建物、教育機関、など、無料または有料であろうと）、企業アクセスポイント、およびユーザーがその企業の社員でなくてもよく少なくともいくつかのサービスに許可される場合の訪問（他の企業）アクセスポイントを介する通信などである。
【００１５】
ＵＥデバイス１０２が配置され得るネットワーク環境１００のモザイクが与えられたとすると、ユーザーがＰＬＭＮのＲＡＮ（ｒａｄｉｏ  ａｃｃｅｓｓ  ｎｅｔｗｏｒｋ）からＧＡＮへ移動するとき（すなわち、ハンドオーバーイン）またはＧＡＮからＰＬＮＭのＲＡＮへ移動するとき（すなわち、ハンドオーバーアウト）に、ユーザーがコールに従事し得るように、垂直ハンドオーバーメカニズムが存在することが望ましい。そのような機能性を容易にするために、かつ関連する全体のユーザー経験をカスタマイズおよび向上させるために、本特許の開示は、ＵＥデバイス１０２と共に動作可能なネットワーク発見および選択手順の一式を提供する。該手順は、一般化されたネットワーク環境１００において、よりカスタマイズされ得るハンドオーバーコール行動が切れ目なく行われ得るように一つ以上の相互関連およびフィルタリングスキームを含む。本開示の教示を形式化するために、ここで図２が参照される。図２において、ネットワーク環境２００の例示的実施形態が示され、この実施形態は、図１に例示される一般化されたネットワーク環境１００のより具体的なサブセットである。表されているように、ＵＥデバイス１０２は、ＵＥデバイス１０２にアクセス可能な一つ以上のＧＡＮとの接続可能性を有する他に従来のＲＡＮインフラを介してアクセス可能にするＰＬＭＮのセットを発見するために動作可能に配置される。例示の目的で、ＷＬＡＮおよび／またはＩ−ＷＬＡＮ構成（公知またはこれまで公知でない）の任意のタイプも含める本特許の開示の目的のために、ここで一般化されたＧＡＮ−１  ２０２−１〜ＧＡＮ−Ｎ  ２０２−Ｎは、ＵＥデバイスによって発見されるように動作可能である。ＧＡＮは、一つ以上のＰＬＮＭへの接続可能性をサポートし得、またはどの接続可能性も全くサポートしなくあり得る。該ＰＬＭＮは、ＶＰＬＭＮ２０４−１〜２０４−ＭおよびＵＥデバイス１０２に関してＨＰＬＭＮ（例えば、ＨＰＬＭＮ２０６）を含み得る。ＧＡＮ−ＰＬＭＮ接続可能性がサポートされる場合、特定のＧＡＮの後のどのＰＬＭＮがＵＥデバイス１０２に見え得るかは、複数の商業的な要因、例えば、ＧＡＮオペレータとＰＬＭＮオペレータとの間の契約上の取り決めに依存し得る。例示されているように、ＧＡＮ−１  ２０２−１は、ＶＰＬＭＮ−１  ２０４−１およびＶＰＬＭＮ―２  ２０４−２への接続可能性をサポートする。同様に、ＧＡＮ−２  ２０２−１は、ＶＰＬＭＮ―Ｍ  ２０４−ＭおよびＨＰＬＭＮ２０６への接続可能性をサポートする。一方、ＧＡＮ−Ｎ  ２０２−Ｎは、広域ＰＬＭＮへの接続可能性を有しない。
【００１６】
周知のように、広域セルラＰＬＭＮの各々は、複数のセルとして配列され得、各セルはセクタ（例えば、典型的には基地局（ＢＳ）またはセル当たり３つの１２０度セクタ）を有する。個々のセルには、セル識別が提供され得、該セル識別は、基礎をなすＷＡＣＮ技術に依存して変動し得る。例えば、ＧＳＭネットワークにおいて、各セルには、ネットワークを識別するためのＣＧＩ（Ｃｅｌｌ  Ｇｌｏｂａｌ  Ｉｄｅｎｔｉｆｉｃａｔｉｏｎ）パラメータが提供されている。セルのグループは、普通、ＬＡ（Ｌｏｃａｔｉｏｎ  Ａｒｅａ）として指定され、ＬＡ識別子（ＬＡＩ）よって識別され得る。マクロレベルにおいては、ＰＬＭＮは、基礎をなすセルラ技術に従って、識別され得る。例えば、ＧＳＭベースのＰＬＭＮは、ＭＣＣ（Ｍｏｂｉｌｅ  Ｃｏｕｎｔｒｙ  Ｃｏｄｅ）およびＭＮＣ（Ｍｏｂｉｌｅ  Ｎｅｔｗｏｒｋ  Ｃｏｄｅ）から成る識別子によって識別され得る。同様に、ＣＤＭＡ／ＴＤＭＡベースのＰＬＭＮは、システム識別ＳＩＤパラメータによって識別され得る。セルラインフラに関わらず、すべてのセルは、サービスを得ることを望むワイヤレスデバイス（例えば、ＵＥデバイス１０２）がワイヤレスネットワークを識別し得るようにマクロレベルＰＬＭＮ識別子を同報通信する。
【００１７】
図３は、例示的ネットワークシステム３００の機能ブロック図を表し、ここで、広域セルラＰＬＭＮ３０６は、ＧＡＮ３０２および関連するコントローラ（ＧＡＮＣ）３０４を介してＵＥデバイス１０２にアクセス可能である。本質的に、示された実施形態において、ＧＡＮ３０２は、ＰＬＭＮ３０６の周知のＡ／Ｇｂインタフェースへのアクセス提供する広帯域ＩＰベースのアクセスネットワークとして動作可能であり、ここで、ＧＡＮＣ３００は、アップレファレンスポイントインタフェース（Ｕｐ  ｒｅｆｅｒｅｎｃｅ  ｐｏｉｎｔ  ｉｎｔｅｒｆａｃｅ）３０３を介してＧＡＮ３０２に連結されるネットワークノードである。適用可能な３ＧＰＰ仕様書において提供されるように、アップレファレンスポイント３０３は、ＧＡＮＣ３０４とＵＥデバイス１０２との間のインタフェースを規定する。ＧＡＮが、ＧＳＭ／ＥＤＧＥ  ＲＡＮ（ＧＥＲＡＮ）インフラと共存するように動作可能な場合、ＧＡＮは、標準のＧＥＲＡＮ基地局サブシステム（ＢＳＳ）ネットワークエレメントによって使用されるＡ／Ｇｂインタフェースと同じインタフェースを介してコアＰＬＭＮに相互接続する。従って、ＧＡＮＣ３０４の機能性は、ＧＥＲＡＮ  ＮＳＳ（本図に示されていない）の機能性をエミュレートするように、必要なプロトコルインタワーキング（ｐｒｏｔｏｃｏｌ  ｉｎｔｅｒｗｏｒｋｉｎｇ）を含む。Ａ−インタフェース３０５は、ＧＳＭベースの回路交換（ＣＳ）サービスのためのインタフェースを規定し、ＧＡＮＣ３０４とＰＬＭＮ３０６のＭＳＣ３０８との間に配置される。Ｇｂインタフェース３０７は、ＧＰＲＳベースのパケット交換（ＰＳ）サービスのためのインタフェースを規定し、ＧＡＮＣ３０４とＰＬＭＮ３０６のＳＧＳＮ３１０との間に配置される。セキュリティゲートウェイ（ＳＧＷ）３１１もまた、Ｗｍレファレンスポイント３０９（３ＧＰＰ  ＴＳ  ２３．２３４によって規定されるように）を介して、ＰＬＭＮ３０６に配置されたＡＡＡ（Ａｕｔｈｅｎｔｉｆｉｃａｔｉｏｎ，Ａｕｔｈｏｒｉｚａｔｉｏｎ  ａｎｄ  Ａｃｃｏｕｎｔｉｎｇ）プロキシ／サーバノード３１２にインタフェースされるＧＡＮＣ３０４に含まれ、ここで、ＨＬＲ３１６は、ＡＡＡノード３１２に動作可能に連結される。
【００１８】
動作時、Ａ／Ｇｂインタフェースの透視図からわかるように、ＧＥＲＡＮアーキテクチャにおいて基地局コントローラ（ＢＳＣ）の役割をまねることによって、ＧＡＮＣ３０４は、ＧＥＲＡＮ  ＢＳＳネットワークエレメントとしてのコアＰＬＭＮ３０６のように見える。従って、ＧＡＮＣ３０４が接続されるＰＬＭＮ３０６は、ＢＳＣによってサポートされるラジオアクセスとは異なり、ＧＡＮＣによってサポートされている基礎をなすアクセスメカニズムに気づかない。前に示唆されているように、ジェネリックアクセス（ＧＡ）動作可能なＵＥデバイス１０２とＧＡＮＣ３０４との間に配置されたＧＡＮ３０２は、適切な広帯域ＩＰネットワークによって実行され得る。ＧＡＮＣ３０４によって提供される全機能性は、以下を含む。
・音声のＵＥへの／ＵＥからの適切な変換およびＰＣＭ音声のＭＳＣからの／ＭＳＣへの適切な変換を含むアップインタフェースに対するＣＳベアラーとＡ−インタフェースに対するＣＳベアラーとの相互作用を含むユーザープレーンＣＳサービス
・アップインタフェースに対するデータトランスポートチャネルとＧｂインタフェースに対するパケットフローとの相互作用を含むユーザープレーンＰＳサービス
・以下を含むコントロールプレーン機能性。（ｉ）相互認証、暗号化およびデータ保全性のためのＵＥに対するセキュアトンネルのセットアップのためのＳＧＷ、（ｉｉ）ＧＡＮサービスアクセスのための登録およびシステム情報の提供、（ｉｉｉ）ＣＳおよびＰＳサービスのためのＧＡＮベアラーパスのセットアップ（例えば、信号送信およびＵＥとＧＡＮＣとの間のユーザープレーンベアラーの設定、管理および解体）、および（ｉｖ）ページングおよびハンドオーバーなどのためのＧＳＭ  ＲＲ（Ｒａｄｉｏ  Ｒｅｓｏｕｒｃｅ）管理およびＧＰＲＳ  ＲＬＣ（Ｒａｄｉｏ  Ｌｉｎｋ  Ｃｏｎｔｒｏｌ）とのＧＡＮ機能上等価物。
【００１９】
図４Ａは、図３に示されたネットワークシステム３００に関連したＣＳドメイン信号送信プレーンと共に動作可能なプロトコルスタック４００Ａの例示的実施形態を表す。同様に、図４Ｂは、ネットワークシステム３００に関連したＰＳドメイン信号送信プレーンと共に動作可能なプロトコルスタック４００Ｂの例示的実施形態を表す。Ａ／Ｇｂインタフェースへのジェネリックアクセスおよび関連するアーキテクチャに関する追加の詳細は、本明細書に参照および援用された米国仮特許出願において識別される適用可能な３ＧＰＰ仕様書に見られ得る。
【００２０】
図１および図２に関する上記のネットワーク環境などの一般化されたネットワーク環境内に提供される種々のＧＡＮ／ＷＬＡＮおよびＰＬＭＮのモザイクが与えられると、ＵＥデバイスと利用可能なＷＡＣＮ（すなわち、ＰＬＭＮ）との間のアクセスを提供する観点から、多数のＧＡＮ／ＧＡＮＣコンフィギュレーションが可能であることは当業者にとって明らかである。図５Ａは、各ＰＬＭＮが対応するＧＡＮＣによってサーブされる場合の一実施形態に従って、単一のアクセスネットワークＡＮ５０２が複数のＰＬＭＮ５０４−１〜５０４−Ｋに接続されるように動作可能であるネットワーク構成５００Ａを表す。例示の目的で、ＡＮ５０２は、上記ＧＡＮＣプロトコルと共に動作可能なＷＬＡＮであり得るＧＡＮとして一般化され得、ここで、複数のアップインタフェース５０３−１〜５０３−ＫはＧＡＮＣへの連結に関してサポートされる。照合数字５０６−１〜５０６−Ｋは、複数の別々のＧＡＮＣノードをいい、該ノードの各々は関連する特定のＰＬＭＮにインタフェースするためであり、ここで、ＭＳＣ５０８−１〜５０８−ＫおよびＳＧＳＮ５１０−１〜５１０−Ｋは、それぞれのＰＬＭＮのインフラストラクチャを例示する。各ＰＬＭＮはＳＧＳＮノードが備えつけられるが、それは本開示の目的の必要条件ではなく、ＰＬＭＮ５０４−１〜５０４−Ｋは、異なる広域セルラ技術、プロトコルおよび規格に従ってインプリメントされ得ることを当業者は認識する。
【００２１】
ここで、図５Ｂを参照すると、代わりのネットワーク構成５００Ｂが示されており、ここで、ＡＮ５０２（ＧＡＮまたは無線ＬＡＮ）は、複数の仮想ＧＡＮＣパーティション５５２−１〜５５２−Ｋをサポートする単一の物理的なＧＡＮＣ５５０を介する複数のＰＬＭＮ５０４−１〜５０４−Ｋに接続するように動作可能である。各仮想ＧＡＮＣ（ＶＧＡＮＣ）は、対応するＰＬＭＮに関する必要なＡ／Ｇｂインタフェースする機能性を提供するように個別に動作可能である。従って、各ＰＬＭＮ当たり一つのＧＡＮＣがあり、ＰＬＭＮにＧＡＮＣが接続される。そのような配置は、ＷＬＡＮの接続性をサポートするＰＬＭＮがＰＬＭＮ自身のＧＡＮＣを所有および動作する必要性を見ない場合に、使用され得る。
【００２２】
上の討議に基づき、ＧＡＮアーキテクチャは、ＧＰＲＳなどの既存のプロトコルを利用することによってＷＬＡＮを３ＧＰＰ準拠のＷＡＣＮに相互作用するための一般化されたフレームワークを提供し、これにより、コアにおいて実行されるためにほとんどまたは全く改造または標準化作業が必要ないことは理解されたい。このことは、サービスがＧＡＮ／ＷＬＡＮから３ＧＰＰ準拠のＷＡＣＮへのハンドオーバーすること、または、その逆のハンドオーバーすることを可能にし、信号送信およびユーザープレーントラフィックを完全な状態に保つ。しかしながら、ＣＳ交換プロトコルおよびＧＰＲＳプロトコル論理リンクコントロールすなわちＬＬＣおよびＳｕｂ−Ｎｅｔｗｏｒｋ  Ｄｅｐｅｎｄｅｎｔ  Ｃｏｎｖｅｒｇｅｎｃｅ  ＰｒｏｔｏｃｏｌすなわちＳＮＤＣＰ）が使用されるので、選ばれたＧＡＮ／ＷＬＡＮは、ＧＡＮ／ＷＬＡＮトラフィックを終了させるために使用されるＭＳＣ／ＳＧＳＮと同じＰＬＭＮにあるＭＳＣ／ＳＧＳＮに到達可能でなければならない。事態をさらに複雑にすることに、ＧＡＮ／ＷＬＡＮは、多くのＰＬＭＮに接続し得、該ＰＬＭＮの各々は、上述のように、別々の、個別に発見可能なＧＡＮＣノードを有する。ユーザーがそのようなＧＡＮ／ＷＬＡＮ環境に出会ったとき、現在では、特定のＧＡＮＣの選択を規定する標準化された手順はない。その結果、全体のユーザー経験およびコールハンドオーバー動作がよくない方に影響を与えられ得る多数の潜在的な問題が発生する。例えば、デュアルモード（すなわち、二つの異なる技術で、例えば、その各々は好適には別のバンドである）で動作するＧＡ準拠ＵＥデバイスが、マクロＰＬＭＮまたはＷＡＣＮを発見し、その後、異なるＷＡＣＮに属するＧＡＮＣを選ぶ場合、ＡＮスペースとＷＡＣＮスペースとの間のハンドーバーは機能しない。そのような問題はまた、一つのＧＡＮＣが多数の個別に発見可能なＶＧＡＮＣパーティションをサポートするように区分されるネットワーク構成において発生し得る。
【００２３】
さらに、異なる地域および国における種々のレベルの技術浸透および配置のため、ＡＮスペースおよびＷＡＣＮスペースがＧＡＮ／ＷＬＡＮアプローチを使用してインタフェースされる場合、さらなる複雑性が発生し得る。例えば、ＧＡ準拠ＵＥデバイスが、ＷＡＣＮ有効範囲がないがＷＬＡＮ有効範囲のある地域にあり得る。一つ以上のＷＬＡＮが、ＧＡＮアーキテクチャよりはむしろＩ−ＷＬＡＮアプローチに基づく場合、ＧＡＮとＩ−ＷＬＡＮとの間に存在し得るあらゆるサービスの差の他に、例えば、登録、登録抹消などの種々の制御処理における差に起因して、ＵＥが、ＧＡＮとＩ−ＷＬＡＮとを区別することが好適である。本特許開示の範囲を強調する目的のために、ユーザー経験に関係する問題のいくつかは以下に提示される。
・ＵＥは、現在、ＷＡＣＮに登録されていない。ここでＵＥは、最善または最適なプロバイダを選択するために、ＵＥがある国を決定するために（すなわち、ＭＣＣは不明）セルラバンド信号をチェックし得ない。ＨＰＬＭＮは、通常、最初に選択されるが、ＶＰＬＭＮ選択は場所（例えば、国）に依存し得る。この状況において、ＵＥは、利用可能なＧＡＮ／ＷＬＡＮを調査しているとき、ＵＥはそれがどのＶＰＬＭＮに接続することを好むかを知らないか可能性がある。
・ユーザーに関連するＳＩＭ（Ｓｕｂｓｃｒｉｂｅｒ  Ｉｄｅｎｔｉｔｙ  Ｍｏｄｕｌｅ）またはＲＵＩＭ（Ｒｅｍｏｖａｌ  ｕｓｅｒ  Ｉｄｅｎｔｉｔｙ  Ｍｏｄｕｌｅ）のオペレータの「好適なＰＬＭＮ」リストは、ＰＳデータサービス（例えば、ＧＰＲＳ機能）または、ＵＭＡ（Ｕｎｌｉｃｅｎｓｅｄ  Ｍｏｄｕｌｅ  Ａｌｌｉａｎｃｅ）サービスなどの他のサービスに対するＵＥのニーズを考慮に入れない。そのような状況は、ＰＬＭＮリストがＣＳ音声ローミング契約にのみ基づく場合に、発生し得、その結果、ユーザーは、ｅメールおよびその他のデータサービスを使用し得ない可能性がある。当業者は、そのような問題がＧＡＮまたはＩ−ＷＬＡＮが使用されようと不使用であろうと発生し得るに注意されたい。
・ＰＬＭＮのためのオペレータ制御のリストのいくつかまたはすべては、最新でなく、またはＵＥが動作している国のための特定の項目が現時点のものではないことがあり得る。・セルラバンド全体のリストを更新することは容量を占有するので、ＨＰＬＭＮは、時間外またはＵＥがＩ−ＷＬＡＮまたはＧＡＮに接続されているときにリストを更新することを望み得る。
・ＵＥがＭＣＣを決定し得るＷＡＣＮ信号がないとき、ＵＥのＡＧＰＳ（アシスト全地球測位システム）の有効性または（マニュアルの）ユーザー入力、およびＷＡＣＮ  ＭＣＣについての最近の（すなわち、タイムがスタンプされた）情報が役立ち得る。
・国境の近くにおける動作の場合、ＵＥは複数のＭＣＣから信号を得、ユーザー選択すなわち「最小コスト」の選択が可能になる。
【００２４】
当業者は、上に提示されたリストは限定するよりはむしろ純粋に例示であることを認識するべきである。これに関して、ＧＡＮ／ＷＬＡＮスペースとＰＬＭＮスペースとの間のインタフェースとの関連においてユーザー経験およびコール動作に関して、種々の関連する問題が明らかになり得ることを考察されたい。
【００２５】
本開示の目的のために、ＧＡ可能なＵＥは、ネットワーク発見および選択手順におけるある相違はあるが、オートマチックまたはマニュアルモードのいずれかで動作し得る。但し、この二つにおける特定の特徴および機能は、適用可能な仕様書およびその仕様書に対してなされ得る任意の改変および変更に依存して変動し得る。一般に、マニュアルモードは、ユーザーが、利用可能なＰＬＭＮのより詳細な選択／フィルタリングを行うこと、ベアラーが使用されること、および、ＷＬＡＮまたはその他の無許可のラジオ技術（すなわち、Ｉ−ＷＬＡＮ、ＧＡＮ，またはＷＬＡＮを介するＰＬＭＮへの単なる接続）を使用するときの方法でさえも潜在的に使用されることを可能にする。
【００２６】
第１に、一般化されたネットワーク発見および選択スキームを以下に提示する。追加の実施形態、特徴および改善は以下に検討され、ＧＡＮ／ＷＬＡＮスペースとＰＬＭＮスペースとの間のインタフェースに関して上に識別された種々の問題に広く対処する。ここで図６を参照すると、一実施形態に従った一般化されたネットワーク発見および選択方法のフローチャートが示される。ここで、デュアルモードＵＥデバイスは、ＧＡＮ／ＷＬＡＮスペースおよびＷＡＣＮスペースを備えるネットワーク環境に配置される。例示されているように、電源を入れると、ＵＥは、第１バンドにおいて、利用可能なアクセスネットワークとアクセスネットワークを介して利用可能なＷＡＣＮとを求めてスキャンする（ブロック６０２）。第１バンドにおけるスキャニングを介して発見されたＷＡＣＮの第１リストは、次に、ＳＩＭ／ＲＵＩＭ内かまたはＵＥデバイスが備えつけられたメモリに記憶されるために生成される（ブロック６０４）。第２バンドにおけるスキャニングは、アクセスネットワークを必要としない利用可能なすべてのＷＡＣＮに対して、第１バンドにおけるスキャニングの後、第１バンドにおけるスキャニングの前、または、第１バンドにおけるスキャニングと実質的に同時に並行して行なわれ得る（ブロック６０６）。第２バンドにおけるスキャニングにおいて得られた結果に基づき、ＷＡＣＮの第２リストは生成される（ブロック６０８）。上に示唆されているように、一実施形態において、ＷＡＣＮは、ＷＡＣＮの［ＭＣＣ；ＭＮＣ］組合わせによって識別され得る。また、いずれかのリストにおける特定のＷＡＣＮがＧＰＲＳ可能かどうかを識別することなど追加の特徴もまた、提供され得る。その後、両リストに共通のＷＡＣＮのセットを識別するために第１リストと第２リストとの間の相互関連付けがなされる（ブロック６１０）。次に、特定のＷＡＣＮは、識別されたセットから選択され得（ブロック６１２）、ここで、選択は、ある選択基準および禁止（Ｆｏｒｂｉｄｄｅｎ）ＰＬＭＮリスト、優先（Ｐｒｉｏｒｉｔｙ）ＰＬＭＮリストなどのフィルタに依存し得る。さらなるインプリメンテーションにおいて、ＵＥはまた、ＷＡＣＮおよび／またはＷＡＮ有効範囲を提供するのみのＰＬＭＮをリストし得る。
【００２７】
上に提示されたスキャニング動作は、能動スキャニング方法または受動スキャニング方法によって実行され得ることを理解されたい。また、上記の第１バンドおよび第２バンドは、ＷＬＡＮおよびＰＬＭＮに、それぞれ、または逆に関連する特有のバンドの単なる例示である。但し、ＷＬＡＮおよび／またはＰＬＭＮと共に動作可能な複数のバンドがあり得る。一例において、第１バンドと第２バンドとのうちの一つは、４５０ＭＨｚ、８５０ＭＨｚ、９００ＭＨｚ、１８００ＭＨｚ、１９００ＭＨｚ、２１００ＭＨｚ、または任意のサテライトバンドから成る群から選択される周波数バンドを含み得るが、この場合、その他の周波数バンドは、上の群において提供されたバンド以外の任意のバンドであり得る。
【００２８】
上に提示された一般化されたネットワーク選択メカニズムは、ＵＥデバイスが、オートマチックモードかマニュアルモードかどうか、デバイスがＰＬＭＮに現在登録されているか、ユーザー制御の所望のレベル、利用可能な選択フィルタなどに依存する多くの方法で改変され得ることを当業者は認識されたい。また、第１バンドおよび第２バンドは、ＷＬＡＮおよびＷＡＣＮと共に、それぞれ動作可能な周波数バンドとして記述されているが、そのような記述は、単に例示のためのみであり、バンド指定およびスキャニング動作は、従って、他の実施形態において、逆にされ得る。本開示のネットワーク発見および選択スキームの広いスキーム内において可能な多様なシナリオおよびオプションのために、特定の例示的フローチャートの実施形態を提供する前に、語り的な説明が提示される。
【００２９】
（Ｉ．オートマチックモード−ＰＬＭＮに現在登録されていない）
ここでＵＥはデュアルモード可能で、ＵＥがＰＬＭＮを見つけたとき、ＵＥは、それ以上のＰＬＭＮが見つけられなくなるまで、ネットワークアイデンティティ［ＭＣＣ，ＭＮＣ］をメモリまたはＳＩＭ／ＲＵＩＭに記憶する。さらなる変種として、すべての発見されたＰＬＭＮの［ＭＣＣ，ＭＮＣ］組合わせを記憶する他に、ＵＥは、特定のＰＬＭＮがＧＰＲＳ可能または可能でないかを記憶する能力がある。好適には、ＨＰＬＭＮを見つけた場合、さらなるスキャニングは行なわれなくあり得る。
【００３０】
（１．オプションＡ）
ａ）ネットワーク発見：現在の３ＧＰＰ  ＴＳ２３．２３４および３ＧＰＰ  ＴＳ２４．２３４仕様書（本明細書に参考のため援用される）に規定されているように、ＵＥは、ＷＬＡＮに対してネットワーク発見手順を実行する。ＧＡＮ／ＷＬＡＮが、ＨＰＬＭＮであるサービスセットＩＤ（ＳＳＩＤ）で、ＧＡＮ／ＷＬＡＮがそれを知っている、ＳＳＩＤを見つけた場合、ＵＥは、ルートネットワークアクセス識別子（ＮＡＩ）を使用して、ＧＡＮ／ＷＬＡＮに対して認証する。さもなければ、ＵＥは、３ＧＰＰ  ＴＳ２３．２３４および３ＧＰＰ  ＴＳ２４．２３４仕様書に規定されているように、ネットワーク発見を実行する。
ｂ）ネットワーク選択：ＵＥは、次に、見つけられたＰＬＭＮ（［ＭＣＣ，ＭＮＣ］組合わせによって識別される）であって、記憶され、ＧＡＮ／ＷＬＡＮにおいてサポートされるＰＬＭＮを相互に関連づける。この関連づけられた情報を使用して、ＵＥは、マクロセルラネットワーク（すなわち、ＷＡＣＮ）手順によって、かつＧＡＮ／ＷＬＡＮを介して利用可能なＰＬＭＮに登録する。一実施形態において、この条件に適合するＰＬＭＮについて、Ｉ−ＷＬＡＮネットワーク選択のために現在規定されているＰＬＭＮリストが使用され得る。しかしながら、さらなる変種として、ＵＥにおいて、ＧＰＲＳサービス機能をサポートするこれらのＰＬＭＮが、音声サービスをサポートするに過ぎないＰＬＭＮより高い優先度を有するように構成することが可能である。
【００３１】
（２．オプションＢ）
Ｉ−ＷＬＡＮアクセスのための３ＧＰＰ仕様書に規定されたＳＳＩＤリストの他に、ＵＥが、ＧＡＮアクセスをサポートするＷＬＡＮに気づくのみならず、ネットワーク選択をスピードアップしユーザー経験を最適化／カスタマイズするようにメカニズムが備えつけられるように、追加のＳＳＩＤ／ＰＬＭＮリストおよび関連するフィルタリング基準が記憶され得る。例示の目的のために、次の新しいリストが規定され得る。
・ＧＡＮＣアクセスのためのオペレータ制御好適ＳＳＩＤ
・ＧＡＮＣアクセスのためのユーザー制御ＳＳＩＤ
・ＧＡＮＣアクセスのための禁止ＳＳＩＤ
・ＧＡＮＣアクセスのためのオペレータ制御好適ＰＬＭＮ
・ＧＡＮＣアクセスのためのユーザー制御ＰＬＭＮ
・ＧＡＮＣアクセスのための禁止ＰＬＭＮ
ここで、ＳＳＩＤおよびＰＬＭＮの優先度は、リストにおける位置によって指示される。
ａ）ネットワーク発見：現在の３ＧＰＰ  ＴＳ２３．２３４および３ＧＰＰ  ＴＳ２４．２３４仕様書に規定されているように、ＵＥは、ＷＬＡＮに対してネットワーク発見手順を実行する。しかしながら、発見手順は、一つ以上の新しいリストおよび上に規定されたフィルタに関連して調整される。そのような調整の例示的実施形態は、特に図７を参照して、下に提示される。さらなる変種として、新しいリストが利用可能でないか、ＵＥにおいて記憶されない場合、３ＧＰＰ  ＴＳ２３．２３４および３ＧＰＰ  ＴＳ２４．２３４仕様書に現在規定されているようなリストが使用され得る。その後、ＧＡＮ／ＷＬＡＮが、ＨＰＬＭＮであるＳＳＩＤで、ＧＡＮ／ＷＬＡＮがそれを知っているＳＳＩＤを見つけた場合、ＵＥは、ルートＮＡＩを使用して、ＧＡＮ／ＷＬＡＮに対して認証する。さもなければ、ＵＥは、オプションＡに提示されたネットワーク発見を続行し、ここで、３ＧＰＰ  ＴＳ２３．２３４および３ＧＰＰ  ＴＳ２４．２３４仕様書に提示された手順が使用され得る。
ｂ）ネットワーク選択：オプションＡと同様に、ＵＥは、マクロネットワーク発見（セルラバンドにおいて）を使用して発見されたＰＬＭＮに関する相互関連づけ技術およびＧＡＮ／ＷＬＡＮにおいてサポートされる相互関連技術を採用する。この相互に関連づけられた情報を使用して、ＵＥは、マクロセルラネットワークによって、かつＷＬＡＮを介して、利用可能なＰＬＭＮに登録し得る。この基準を満足するＰＬＭＮについて、オプションＢにおいて上に現在規定されている新しいリストは、選択処理をさらに改善するために使用され得る。再び、ＧＰＲＳサービスまたはその他のＵＭＡ準拠サービスをサポートするＰＬＭＮが、音声サービスをサポートするに過ぎないＰＬＭＮより高い優先度を有するように指定され得る。
【００３２】
（３．オプションＣ）
さらなる変種として、３ＧＰＰ  ＴＳ２３．２３４および３ＧＰＰ  ＴＳ２４．２３４仕様書に現在規定されているように、ＳＳＩＤ／ＰＬＭＮリストは、そのＳＳＩＤおよび／またはＰＬＭＮがＧＡＮアーキテクチャをサポートするかどうかを示すリストにおいてＳＳＩＤ／ＰＬＭＮのとなりに表示またはフラグがあるように適切に修正され得る。そのような手順はネットワーク選択が加速されるのを可能にすることを当業者は認識されたい。
【００３３】
（４．オプションＤ）
なおもさらなる変種として、ＵＥがどのセルラネットワークも受信不能の場合（例えば、セルラ信号の通過またはマイクロセルのないまたは一つのセルラネットワークのマイクロセルのみがある建物において）、ＵＥは最新のセルラネットワークを使用し得る（ネットワークはスキャンされるので最新のセルラネットワークは時間間隔依存する）。代わりに、一旦、ＭＣＣが利用可能となると、そのＭＣＣにおいて動作するこれらのＭＮＣは、以前にＵＥに記憶された情報から選択され得る。
【００３４】
（ＩＩ．マニュアルモード−ＰＬＭＮに現在登録されていない）
上に討議されたオートマチックモード手順と同様に、ＵＥは、適用可能な３ＧＰＰ仕様書に従ってすべてのＰＬＭＮに対してスキャンし、［ＭＣＣ，ＭＮＣ］組合わせを使用してすべての識別されたＰＬＭＮを記憶する。ＵＥはまた、すべてのＧＡＮ／ＷＬＡＮに対してスキャンし、オルタナティブ（Ａｌｔｅｒｎａｔｉｖｅ）ＮＡＩを各ＳＳＩＤに送り、ＳＳＩＤにおいてサポートされるＰＬＭＮのリストを検索することによって、現在の３ＧＰＰ手順に従ってネットワーク発見を実行する。ＵＥデバイスが備えつけられたロジックは、ＧＡＮ／ＷＬＡＮを介して、見つけられたＰＬＭＮおよびマクロセルラネットワークスキャニングを介して発見されたＰＬＭＮに関する相互関連付け技術を適用するように動作可能である。セルラスキャンおよびＧＡＮ／ＷＬＡＮネットワーク発見の両方を介して見つけられ得るＰＬＭＮは、次に、ディスプレイを介してユーザーに提示される。別の代替の実施形態は、見つけられたＰＬＭＮが、追加のサービス特徴および機能もサポートするかどうかをユーザーに示すことを含み得る（例えば、ＵＭＡベースのサービス）。オプションで、ＵＥデバイスの選択ロジックは、表示されたＰＬＭＮがＧＡＮＣアクセス、ＧＡＮハンドオーバー、またはその両方をサポートするかどうかについて表示またはフラグに提供し得る。
【００３５】
さらに、オートマチックモードに関して上に討議されたオプションと同様に、いくつかのインプリメンテーションオプションがマニュアルモードにおいて利用可能である。従って、Ｉ−ＷＬＡＮアクセスのための３ＧＰＰ仕様書において規定されたＳＳＩＤリストは、ＧＰＲＳサービス、ＵＭＡベースサービス、ＧＡＮＣ機能、などの追加の機能の表示を提供するために適切に改変され得る。また、前述のオプションと同様に、追加のＳＳＩＤ／ＰＬＭＮリストおよび関連するフィルタリング基準はまた、マニュアルモードにおいても提供され得、該リストおよび基準は、本明細書の上に詳細に説明されるようなネットワーク発見手順と共に使用され得る。
【００３６】
ここで図７を参照すると、一実施形態に従ってＵＥデバイスと共に動作可能なネットワーク発見および選択方法のフローチャートが示されている。ブロック７０２において、ＵＥは、ＷＡＣＮバンドにおいてすべてのＰＬＭＮ情報（すなわち、［ＭＣＣ，ＭＮＣ］組合わせ）をスキャンし、得る。ＵＥはまた、各ＳＳＩＤによってサポートされるＰＬＭＮを得るために、ＧＡＮ／ＷＬＡＮバンドにおいてＳＳＩＤに対してスキャンするように動作可能である（ブロック７０４）。一インプリメンテーションにおいて、スキャニングは、ＧＡＮＣアクセスのためのユーザー制御好適ＳＳＩＤリストにおいてＳＳＩＤで開始し得る。ホームネットワークが見つけられた場合（決定ブロック７０６）、スキャニング動作は停止する（ブロック７１２）。その後、ＵＥは、各ＳＳＩＤに関連するＰＬＭＮ情報を得るために、ＧＡＮＣアクセスのためのオペレータ制御好適ＳＳＩＤリストにおいてＳＳＩＤに対してスキャンする（ブロック７０８）。再び、ホームネットワークが見つけられた場合（決定ブロック７１０）、スキャニングは停止される（ブロック７１２）。ＧＡＮＣ／ＷＬＡＮバンドを含むなおもさらなるスキャニング処理において、ＵＥデバイスは、個々のＳＳＩＤによってサポートされるどのＰＬＭＮでも発見するように、ＧＡＮＣアクセスのための禁止ＳＳＩＤリストにおいてではなく、これらのＳＳＩＤに対してスキャンする。再び、ホームネットワークが発見された場合（ブロック７１５）、本処理は終了される（ブロック７１２）。
【００３７】
前のスキャニング動作は、ユーザー制御、オペレータ制御、またはその両方である追加のフィルタリング基準を追加することによってさらに改変され得ることは当業者にとって明らかである。また、スキャニング動作の順序もまた、変更され得る。ＷＡＣＮバンドにおけるＰＬＭＮの発見（すなわち、マクロセルラネットワーク発見）および異なるフィルタリングスキーム（スキャニングフィルタといい得る）の下での種々のＳＳＩＤによってサポートされるＰＬＭＮの発見後、ＵＥが備えつけられたネットワーク選択ロジックは、ＰＬＭＮを選択するために相互関連付け技術の一式および選択フィルタを適用するように動作可能である。再び、そのような相互関連付けおよび選択フィルタの適用は、多くの方法でインプリメントされ得ることは理解されたい。
【００３８】
続けて図７を参照すると、ブロック７１６において、マクロネットワーク発見を介して見つけられるＰＬＭＮおよびスキャンされたＳＳＩＤによってサポートされるＰＬＭＮは、共通のＰＬＭＮのセットを見つけるために相互関連づけられる。任意の「禁止」リスト（例えば、ＧＡＮＣアクセスのための禁止ＰＬＭＮ）などにあるＰＬＭＮを除去するなどのフィルタは、次に、さらなる選択／優先基準（選択フィルタ）に従い得る共通のセットからＰＬＭＮの「不足リスト」を生成するために使用される。例えば、ブロック７１８において、ＧＡＮＣアクセスのためのユーザー制御好適ＰＬＭＮリストにおいて最優先の項目として現れるＰＬＭＮの選択がなされ得、これはリストが空になるまで繰返され得る。同様に、ＧＡＮＣアクセスのためのオペレータ制御好適ＰＬＭＮリストにおいて最優先の項目として現れるＰＬＭＮの選択がなされ得、これもまたリストが空になるまで繰返され得る（ブロック７２０）。スキャニングフィルタの適用に関して前と同じように、選択フィルタおよびその順序は、多くの方法で改変され得る。最後に、デフォルトメカニズムとしてランダムＰＬＭＮ選択が提供され得る（ブロック７２２）。
【００３９】
図８は、ＰＬＭＮに現在登録されているＵＥデバイスと共に動作可能な処理の別の実施形態のフローチャートである。マクロネットワークに登録されている現在のＰＬＭＮが、ＧＡＮＣアクセスのための禁止ＰＬＭＮなどの任意の禁止リストに見つけられたか否かの決定がなされる（ブロック８０２）。見つけられた場合、処理フローは停止する（ブロック８１８）。見つけられない場合、ＵＥデバイスは、各ＳＳＩＤによってサポートされるＰＬＭＮを得るためにＧＡＮ／ＷＬＡＮにおいてＳＳＩＤに対してスキャンし、３ＧＰＰ  ＴＳ２３．２３４および３ＧＰＰ  ＴＳ２４．２３４仕様書に記述されるように必要なＰＬＭＮ発見手順を実行する（ブロック８０４）。一インプリメンテーションにおいて、ＧＡＮＣアクセスのためのユーザー制御好適ＳＳＩＤにおいてスキャニングはＳＳＩＤで開始し得る。前に示唆されたように、本開示の目的のためのスキャニング動作は、能動スキャニングメカニズムまたは受動スキャニングメカニズムのいずれかを含み得る。デバイスが登録されたＰＬＭＮがＳＳＩＤスキャニングを介して得られたＰＬＭＮのリストに見つけられた場合（決定ブロック８０６）、処理フローは停止する（ブロック８１８）。その後、ＵＥデバイスは、ＧＡＮＣアクセスのためのオペレータ制御好適ＰＬＭＮリストからＳＳＩＤに対してスキャンするように動作可能であり、そこで適切なＰＬＭＮ情報が得られる（ブロック８０８）。再び、現在のＰＬＭＮが、得られたＰＬＭＮのリストに見つけられた場合（決定ブロック８１０）、処理フローは停止する（ブロック８１８）。見つけられない場合、ＵＥデバイスは、どの「禁止」リスト（例えば、ＧＡＮＣアクセスリストのための禁止ＰＬＭＮ）にもない任意の残りのＳＳＩＤに対してスキャンすることに進む（ブロック８１２）。再度、現在のＰＬＭＮが、得られたＰＬＭＮのリストに見つけられた場合（決定ブロック８１４）、処理フローは終了される（ブロック８１８）。見つけられない場合、失敗が示される（ブロック８１６）。
【００４０】
図９Ａは、一実施形態に従って、ネットワーク発見／選択メカニズムを改善する際に使用され得る複数のＰＬＭＮベースのリストを有するストラクチャ９００Ａを表す。カラム９０２は、適切な識別子（例えば、［ＭＣＣ，ＭＮＣ］組合わせ）によって識別されるマクロネットワークバンドを介して発見されるＰＬＭＮのリストを表す。例示の目的で、｛ＰＬＭＮ１０，ＰＬＭＮ２２，ＰＬＭＮ３３｝は、ＵＥデバイスのレジデントメモリまたはそれに関連するＳＩＭ／ＲＵＩＭに記憶される発見されたネットワークとして例示される。カラム９０４は、ＧＡＮＣ／ＷＬＡＮアクセスのためのオペレータ制御好適ＰＬＭＮのリストを表す。同様に、カラム９０６は、ＧＡＮＣ／ＷＬＡＮアクセスのためのユーザー制御ＰＬＭＮのリストを表し、カラム９０８は、ＧＡＮＣ／ＷＬＡＮアクセスのための禁止ＰＬＭＮのリストを表す。一つ以上の機能インディケータカラム（例えば、３ＧＰＰ機能インディケータカラム９１０）はまた、豊富なネットワーク選択処理を容易にするために記憶され得る。
【００４１】
図９Ｂは、一実施形態に従って、ネットワーク発見／選択メカニズムを改善する際にスキャニングフィルタとして使用され得る複数のサービスセットＩＤ（ＳＳＩＤ）ベースのリストを有するストラクチャ９００Ｂを表す。カラム９５０は、ＧＡＮＣアクセスのためのオペレータ制御好適ＳＳＩＤのリストを表し、該オペレータ制御好適ＳＳＩＤは、ＳＳＩＤの各々によってサポートされる任意のＰＬＭＮを求めるスキャニングの際に反復して使用される。例示の目的で、｛ＳＳＩＤ１，ＳＳＩＤ１０，ＳＳＩＤ１５，ＳＳＩＤ１８｝のリストは例示され、それらの各々は、サポートする一つ以上のＰＬＭＮに関連し得る。同様に、カラム９５２は、ＧＡＮＣ／ＷＬＡＮアクセスのためのユーザー制御ＳＳＩＤのリストを表し、カラム９５４は、ＧＡＮＣ／ＷＬＡＮアクセスのための禁止ＳＳＩＤのリストを表す。リストに示される各ＳＳＩＤに関連しているのは、ＧＡＮ／ＷＬＡＮを介してアクセスのためにサポートされるＰＬＭＮのセットである。
【００４２】
ここで図１０を参照すると、複数のモード（例えば、セルラバンドおよびＧＡＮ／ＷＬＡＮバンド）において発見されたＰＬＭＮを相互に関連づけた後に識別される一つ以上のＰＬＭＮを有するデータベースストラクチャ１０００が示されている。カラム１００２は、適用可能なスキャニングフィルタを介して処理されている場合も処理されていない場合もある。第１バンド（例えば、ＧＡＮ／ＷＬＡＮバンド）においてスキャニングを介して発見されたＰＬＭＮのリスト（リスト１）を表す。例示の目的で、リスト１は、ＰＬＭＮ−ａ、ＰＬＭＮ−ｂ、ＰＬＭＮ−ｊ、ＰＬＭＮ−ｍ、およびＰＬＭＮ−ｒとして識別されるネットワークを含む。カラム１００４は、第２バンド（例えば、ＷＡＣＮセルラバンド）におけるスキャニングを介して発見されたＰＬＭＮの別のリスト（リスト２）を表し、ここで、ＰＬＭＮ−ｂ、ＰＬＭＮ−ｋ、ＰＬＭＮ−ｍ、ＰＬＭＮ−ｏ、およびＰＬＭＮ−ｐは例示である。カラム１００６は、リスト１とリスト２を関連づけた後に得られるＰＬＭＮのセットを表し、リスト１およびリスト２は、適用可能な選択フィルタによって処理される場合も処理されない場合もある。本例に示されるように、二つのＰＬＭＮのセット、すなわち、｛ＰＬＭＮ−ｂ；ＰＬＭＮ−ｍ｝は、相互関連付けの後に得られ、ＧＰＲＳ、ＵＭＡ（例えば、ｈｔｔｐ：／／ｗｗｗ．ｕｍａｔｅｃｈｎｏｌｏｇｙ．ｏｒｇ／ｉｎｄｅｘ．ｈｔｍを参照されたい）、などに関する機能に基づき、それから一つが選択され得る。
【００４３】
一旦ＧＡＮ／ＷＬＡＮが選択され、ＩＰアドレスが割り当てられると、ＵＥは、ネットワークにおいてＧＡＮＣノードを発見し、サービスを得るためにネットワークに登録する必要がある。理解され得るように、ＧＡＮＣノードは、仮想パーティションまたはその他のものとしてインプリメントされ得、ＰＬＭＮ／ＢＳＳインフラストラクチャの一部として、または別のエンティティとして配置され得る。図１１は、一実施形態に従ったＧＡＮＣ発見／選択方法のフローチャートである。ＴＣＰ／ＩＰアドレス照会（ｑｕｅｒｙ）／問合せ（ｉｎｔｅｒｒｏｇａｔｉｏｎ）メカニズムは、一インプリメンテーションにおいて使用され得る。ブロック１１０２において、ＵＥデバイスが備えつけられたネットワークロジックは、ＧＡＮＣの利用可能性を発見するためにドメイン名の絶対表記（ＦＱＤＮ）をネットワークに送るように動作可能である。周知のように、ＦＱＤＮは、コンピュータ、ルータ、サーバまたはその他のネットワーク化された装置において見られるように、ネットワークインタフェースのＴＣＰ／ＩＰアドレスに対応する人間が読取り可能なＴＣＰ／ＩＰ名である。ＦＱＤＮは、ホスト名とドメイン名の両方を含み、該ドメイン名は、特有の方法で、ドメイン名が関連する特定のネットワークインタフェースを識別する。本開示の教示に従って、ＦＱＤＮは、以下の多くの方法で構成され得る。
・ＰＬＭＮのリストが、拡張認証プロトコル（ＥＡＰ）認証を介して得られた場合、ＵＥは、ＵＥに記憶されたＰＬＭＮリストを使用して適切なＰＬＭＮを選択し得、そのＰＬＭＮ、例えば、ｗｗｗ．ＭＣＣｘｙｚＭＮＣａｂｃｇａｎｃ．ｃｏｍを得る固有のＦＱＤＮにアクセスするためにＧＡＮＣのためのＩＰアドレスを構成し得る（ブロック１１０４Ａ。
・ＰＬＭＮのリストが得られなく、ＵＥが以前にセルラスキャンを行い、また多数のＰＬＭＮを見つけた場合、ＵＥは、これらのＰＬＭＮの各々のための固有のＦＱＤＮを構成し得る。ＵＥは、必ずしもすべてのＦＱＤＮへの応答を受信し得るとは限らない（ブロック１１０４Ｂ）。
・ＰＬＭＮスキャンが実行されないか、または固有のＦＱＤＮリクエストに対する応答が受信されなかった場合、ＵＥは、ジェネリックＦＱＤＮ、例えば、ｗｗｗ．ｇａｎｃ．ｃｏｍを送り得、そのとき、ＵＥは、一つ以上のＧＡＮＣアドレスを含むＦＱＤＮリクエストへの応答を受信し得る（ブロック１１０４Ｃ）。
・ジェネリックＦＱＤＮへのどの応答も受信されない場合、ＵＥは、ＵＥのホームＧＡＮＣのためのＦＱＤＮを送り得る（ブロック１１０４Ｄ）。
【００４４】
従って、ＦＱＤＮを適切に構成し、ＦＱＤＮをネットワークに送ることによって、ＧＡＮＣの一つ以上のＩＰアドレスは得られ得（ブロック１１０６）、このとき、ＵＥは、ＥＡＰ−ＳＩＭ認証または、ＥＡＰ−ＡＫＡ（認証およびキーアレンジメント）などのその他の適切なＥＡＰメカニズムを使用して各ＧＡＮＣを認証する（ブロック１１０８）。ＥＡＰメッセージに含まれるべき識別（ｉｄｅｎｔｉｔｙ）の選択に関して３つの以下のオプションが提供され得る。
（ｉ）ルートＮＡＩ：この識別は、オートマチック選択手順またはマニュアル選択手順のいずれかのとき、ＵＥに含まれ得る（ブロック１１１０Ａ）。例えば、オートマチック選択手順時、このＮＡＩは、ＵＥが、ネットワーク発見手順をトリガすることを意図するとき、またはＧＡＮＣがＨＰＬＭＮに直接に接続されていることを気づいているときのみに、使用され得る。マニュアル選択モード時、このＮＡＩは、提供された利用可能なＰＬＭＮリストからＨＰＬＭＮをユーザーが選んだときのみＵＥによって使用され得る。
（ｉｉ）代替のＮＡＩ：この識別は、マニュアル選択手順時、ＵＥがＧＡＮＣから利用可能なＰＬＭＮのリスト得ることを所望するとき、ＵＥに含まれる（ブロック１１１０Ｂ）。ＥＡＰ−応答／識別メッセージを受信するＧＡＮＣが、３ＧＰＰ  ＴＳ２３．００３［１Ａ］仕様書に指定されるようにフォーマットされたこのＮＡＩの特別な領域部分を認識するとき、ＧＡＮＣは、ネットワーク告示情報をＵＥに送る。
（ｉｉｉ）装飾されたＮＡＩ：この識別は次のいずれかのとき、含められ得る。ＧＡＮＣがＨＰＬＭＮへの直接の接続を提供しないこと、およびＧＡＮＣがＧＡＮＣによってサポートされたＶＰＬＭＮについて前の認証からの情報をＵＥが気づいているとき、またはユーザーが、マニュアル選択手順時、ＨＰＬＭＮ以外の異なるＰＬＭＮを選択するとき（ブロック１１１０Ｃ）。
【００４５】
ここで図１２を参照すると、本特許開示の教示に従って提示されたネットワーク発見／選択手順を実行するように動作可能なＵＥデバイスの実施形態のブロック図が示されている。ＵＥ１０２の実施形態は図１２に示されるアレンジメントに似たアレンジメントを含み得るが、表された種々のモジュールに関して、ハードウェア、ソフトウェア、またはファームウェアにおける多数の変種および改変があり得ることは本明細書を参照して当業者よって認識される。従って、図１２のアレンジメントは、本特許の開示の実施形態に関して、制限するよりはむしろ例示的としてとらえられるべきである。ＵＥ１０２の実施形態の全体の制御を提供するマイクロプロセッサ１２０２は、複数のバンドにわたりマルチモードの通信を成し遂げるための送信機／受信機（トランシーバ）の機能性を含む通信サブシステム１２０４に動作可能に連結される。例示の目的で、広域ワイヤレスＴｘ／Ｒｘモジュール１２０６、ＧＡＮ  Ｔｘ／Ｒｘモジュール１２０８およびＩ−ＷＬＡＮ  Ｔｘ／Ｒｘモジュール１２１０が例示される。特に示されていないが、各Ｔｘ／Ｒｘモジュールは、以下の、他の関連するコンポーネントを含み得る。一つ以上の局所発振器（ＬＯ）モジュール、ＲＦスイッチ、ＲＦバンドパスフィルタ、Ａ／ＤコンバータおよびＤ／Ａコンバータ、および、ディジタル信号プロセッサ（ＤＳＰなどの処理モジュール）、ローカルメモリなど。通信分野の当業者にとって明らかなように、通信サブシステム１２０４の特定の設計は、ＵＥデバイスの動作が意図される通信ネットワークに依存し得る。一実施形態において、通信サブシステム１２０４は、音声およびデータ通信と共に動作可能である。
【００４６】
マイクロプロセッサ１２０２は、また、以下の、さらなるデバイスサブシステムとインタフェースする。補助入力／出力（Ｉ／Ｏ）１２１８、シリアルポート１２２０、ディスプレイ１２２２、キーボード１２２４、スピーカー１２２６、マイクロホン１２２８、ランダムアクセスメモリ（ＲＡＭ）１２３０、近距離通信サブシステム１２３２、および一般に、参照数字１２３３としてラベル付けされる任意のその他のデバイスサブシステムなど。アクセスを制御するために、ＳＩＭ（Ｓｕｂｓｃｒｉｂｅｒ  Ｉｄｅｎｔｉｔｙ  Ｍｏｄｕｌｅ）またはＲＵＩＭ（Ｒｅｍｏｖａｂｌｅ  ｕｓｅｒ  Ｉｄｅｎｔｉｔｙ  Ｍｏｄｕｌｅ）インタフェース１２３４もまた、マイクロプロセッサ１２０２との通信するように備えつけられる。一実施形態において、ＳＩＭ／ＲＵＩＭインタフェース１２３４は、多数のキーコンフィギュレーション１２４４およびその他の情報１２４６を有するＳＩＭ／ＲＵＩＭカードと共に動作可能である。その他の情報１２４６は、識別および加入者関連データならびに本明細書に詳述された一つ以上のＳＳＩＤ／ＰＬＭＮリストおよびフィルタなどである。
【００４７】
オペレーティングシステムソフトウェアおよびその他の制御ソフトウェアは、フラッシュメモリ１２３５などの持続ストレージモジュール（すなわち、不揮発性ストレージ）において具体化され得る。一インプリメンテーションにおいて、フラシュメモリ１２３５は、コンピュータプログラム１２３６のための記憶領域およびデータ記憶領域などの異なる領域に分離され得る。該データ記憶領域は、デバイス状態１２３７、アドレス帳１２３９、その他のＰＩＭ（ｐｅｒｓｏｎａｌ  ｉｎｆｏｒｍａｔｉｏｎ  ｍａｎａｇｅｒ）データ１２４１、および、一般に、参照数字１２４３にラベルづけされるその他のデータ記憶領域などである。さらに、適切なネットワーク発見／選択ロジック１２４０は、前のセクションにおいて提示された種々の手順、相互関連付け技術、およびＧＡＮＣ選択メカニズムを実行するための持続ストレージの一部として提供され得る。それに関連するのは、本明細書に詳述されたＳＳＩＤ／ＰＬＭＮリスト、選択／スキャニングフィルタ、機能インディケータなどを記憶する記憶モジュール１２３８である。
【００４８】
従って、ＵＥデバイスの一実施形態は、以下から成る得る適切なハードウェア、ファームウェア、およびソフトウェアを含み得る。第１バンドにおいて通信するためのトランシーバモジュールおよび第２バンドにおいて通信するためのトランシーバモジュールを含む通信サブシステム、第１バンドにおけるスキャニングを介して発見される利用可能な広域セルラネットワークの第１リストを生成するように動作可能なロジックモジュール、第２バンドにおけるスキャニングを介して発見される利用可能な広域セルラネットワークの第２リストを生成するように動作可能なロジックモジュール、両リストに共通の広域セルラネットワークのセットを識別するための利用可能な広域セルラネットワークの第１リストおよび第２リストを相互に関連づけるように動作可能なロジックモジュール、および第１リストおよび第２リストに共通の広域セルラネットワークのセットから特定の広域セルラネットワークを選択するように動作可能なロジックモジュール。
【００４９】
上記討議に基づき、３ＧＰＰおよびＧＡＮ可能なデュアルモードＵＥを使用して、ユーザー経験が改善され得る多数の方法があることは明らかである。以下の記述は、特に次の観点において特定のシナリオの最適化を提供するように向けた観点で、特定のシナリオのいくつかを例示する非包括的な概要を提供する。その観点とは、（ｉ）迅速な選択およびシステム獲得、および（ｉｉ）ユーザー（自分がどこにいるか知っている）がＧＡＮを選択し、獲得することを可能にすることである。
【００５０】
（Ｉ．使用ケースシナリオＡ：ホームでハンドセット（すなわち、ＵＥ）の電源を入れる）
・ユーザーは、朝、ホームでハンドセットの電源を入れる。
・３ＧＰＰ  ＷＡＣＮ（セルラ）信号のチェックは不要。
・デバイスパワーアップのための特定の設定を提供する。
・時間設定に対して、時間ウィンドウ内のパワーアップが「ホームでの」パワーアップと考慮され、他の時間では、３ＧＰＰ  ＷＡＣＮ信号のチェックがまず生じ得るように適合させることが可能である。
・＜ｈｏｍｅ  ＡＰ＞のチェック、またはユーザーがそれを入力した場合、＜ｈｏｍｅ  ＡＰ＞および近くのＡＰとなり、入力がない場合、３ＧＰＰ（セルラ）となる。
【００５１】
（ＩＩ．使用ケースシナリオＢ：ホームにもどる）
・＜ｈｏｍｅ  ＡＰ＞のＵＥチェックを容易かつ迅速に行なうためのユーザー制御を提供する。
・ホームにもどったとき、ユーザーはこれを使用し得る。
＜ｈｏｍｅ  ＡＰ＞がない場合、３ＧＰＰ（セルラ）となる。
【００５２】
（ＩＩＩ．使用ケースシナリオＣ：ホーム関連）
・トラベル設定（すなわち、ローミング）、これは、所定の＜日：時間＞設定まで有効である。
・ローカルＧＡＮ／ＷＬＡＮのチェックを行なうかどうか、およびどの特定なものかを表示する。
反復スケジューリング（毎週など）を表示する。
【００５３】
（ＩＶ．使用ケースシナリオＤ：特定の場所）
反復訪問
・仕事−＜ｗｏｒｋ  ＡＰ＞を記憶可能である。
【００５４】
・＜ｗｏｒｋ  ＡＰ＞のハンドセットチェックを容易かつ迅速に行なうためのユーザー制御を提供する。
【００５５】
・喫茶店／パン屋−＜ｃｏｆｆｅｅ  ｓｈｏｐ  ＡＰ＞を記憶可能である。
【００５６】
・＜ｃｏｆｆｅｅ  ｓｈｏｐ  ＡＰ＞のハンドセットチェックを容易かつ迅速に行なうためのユーザー制御を提供する。
・臨時訪問
・ホテルＸＹＺ−＜ｈｏｔｅｌ  ｘｙｚ  ＡＰ＞を記憶可能である。
【００５７】
・＜ｈｏｔｅｌ  ＡＰ＞のハンドセットチェックを容易かつ迅速に行なうためのユーザー制御を提供する。
【００５８】
・ＧＡＮ／Ｉ−ＷＬＡＮは、移動するもの（たとえば、飛行機内）であり得、いくつかのＰＬＭＮと関連している場合もしていない場合もある。しかしながら、［ＭＣＣ、ＭＮＣ］などの組合せを含むいくつかの方法で識別され得る飛行機内のセルラマイクロセルがあり得る。
【００５９】
（Ｖ．使用ケースシナリオＥ：場所情報を使用する）
多数のソースからの場所情報は、ユーザーのパターンに合わせるようにＵＥデバイスを適合するために使用され得る。情報ソースは以下を含む。
・ＬＡＩ／ＣＧＩ
・ＨＰＬＭＮ
・好適か禁止かであろうと、他のＰＬＭＮ
・ＡＧＰＳ（アシスト全地球測位システム）または他の非セルラバンドロケーションシステム
マニュアル入力
（ＶＩ．使用ケースシナリオＦ：システム選択の適合化）
場所は、動作のモードを適合させるために個々に使用され得る。例は以下を含む。
・＜ｈｏｍｅ  ＡＰ＞への接続
・＜ｗｏｒｋ  ＡＰ＞への接続
・＜［他の］  ＡＰ＞への接続
さらに、接続情報は、場合により、緊急サービスのために位置情報を提供するために特に使用され得ることは明らかである。情報を完全に利用することは、Ｐｕｂｌｉｃ  Ｓａｆｅｔｙ  Ａｎｓｗｅｒｉｎｇ  ＰｏｉｎｔすなわちＰＳＡＰ（例えば、９１１派遣センター、地域消防署または警察署、救急サービスまたは複数のサービスを行なう地域の事務所）に提供される情報において、追加または変更を必要とし得る。さらにまた、ＰＳＡＰとオペレータ（ＰＬＭＮ）との間のインタフェースおよびそれらの間で交換されるメッセージに対して、およびＰＳＡＰ自体において、更なる改変が必要とされ得る。情報は、信号強度および潜在的な「過剰」有効範囲の表示と共に、階、部屋番号および部屋の位置についての記述を含むＡＰが位置しているアドレスの形式であり得る。
【００６０】
本特許開示の実施形態の動作および構造は、上に提示された詳細な説明から明らかであると考えられる。示され記述された例示的実施形態は、好適であるとして特徴づけられ得るが、種々の変更および改変は、以下の特許請求の範囲に提示される本発明の範囲から逸脱することなく、本明細書においてなされ得ることは容易に理解される。
【図１】
2011205691.tif 000003
【図２】
2011205691.tif 000004
【図３】
2011205691.tif 000005
【図４Ａ】
2011205691.tif 000006
【図４Ｂ】
2011205691.tif 000007
【図５Ａ】
2011205691.tif 000008
【図５Ｂ】
2011205691.tif 000009
【図６】
2011205691.tif 000010
【図７】
2011205691.tif 000011
【図８】
2011205691.tif 000012
【図９Ａ】
2011205691.tif 000013
【図９Ｂ】
2011205691.tif 000014
【図１０】
2011205691.tif 000015
【図１１】
2011205691.tif 000016
【図１２】
2011205691.tif 000017
【外国語明細書】
2011205691000001.pdf